(57)【要約】【課題】電気系統の遮断器が遮断する異常停止後、運転を正常に再開させる。【解決手段】冷凍機器における電気系統の異常により遮断器が遮断した後、再起動制御するコントローラ（90）を備えている。このコントローラ（90）は、再起動時に予め設定された対象の各圧縮機（2A,2B,2C）および各室外ファン（F1,F2）を順次起動させる順次起動部（91）と、該順次起動時に遮断器が遮断すると、遮断直前に電力供給した圧縮機（2A,・・・）等を順次起動部（91）の対象外とする異常処理部（92）とを備えている。これにより、異常処理部（92）によって異常な機器が判別され、その異常機器を除く正常な機器を起動させることによって運転が再開される。【選択図】図１
2006162242.tif 000002
【特許請求の範囲】
【請求項１】
電源より遮断器を介して冷凍機器（2A,2B,・・・）の電気系統に電力供給され、冷凍運転を行う冷凍装置であって、
上記電気系統の異常によって遮断器が遮断した後の再起動時に、予め設定された対象の冷凍機器（2A,2B,・・・）を順次起動させる順次起動手段（91）と、
該順次起動手段（91）による順次起動時に電気系統の異常によって遮断器が遮断すると、異常直前に電力供給した冷凍機器（2A,2B,・・・）を上記順次起動手段（91）の対象外とする異常処理手段（92）とを備えている
ことを特徴とする冷凍装置。
【請求項２】
請求項１において、
上記順次起動手段（91）が対象とする冷凍機器（2A,2B,・・・）が全て正常に起動すると、上記異常処理手段（92）によって対象外とした冷凍機器（2A,2B,・・・）を停止させたまま通常運転に移行させる移行手段（93）を備えている
ことを特徴とする冷凍装置。
【請求項３】
請求項１において、
上記順次起動手段（91）が順次起動させる対象の冷凍機器は、複数の圧縮機（2A,2B,2C）である
ことを特徴とする冷凍装置
【請求項４】
請求項１において、
上記順次起動手段（91）が順次起動させる対象の冷凍機器は、複数の圧縮機（2A,2B,2C）と複数のファン（F1,F2）である
ことを特徴とする冷凍装置。
【発明の詳細な説明】
【技術分野】
【０００１】
本発明は、冷凍装置に関し、特に、冷凍機器における電気系統の異常により運転停止した際の再起動制御に係るものである。
【背景技術】
【０００２】
従来より、複数の圧縮機を用いて冷凍サイクルを行う冷媒回路を備えた冷凍装置が知られている（例えば、特許文献１参照）。この冷凍装置には、３台の圧縮機と凝縮器と蒸発器とが接続されてなる、室内を冷暖房する空調用、食品等の貯蔵庫内を冷却する冷蔵用および冷凍用のそれぞれの冷媒回路が形成されている。そして、上記冷凍装置では、主として、３台の圧縮機のうち１台が空調用に、残り２台が冷蔵および冷凍用に用いられ、冷媒が冷媒回路を循環して冷凍運転が行われる。
【特許文献１】特開２００３−７５０２２号公報
【発明の開示】
【発明が解決しようとする課題】
【０００３】
しかしながら、上述した特許文献１の冷凍装置においては、遮断器が遮断する異常対策が何ら講じられていなかった。例えば、３台の圧縮機のうち１台または２台の圧縮機の電気系統の異常によって冷凍運転が停止した場合、何らの措置も施されないため正常に冷凍運転を再開（再起動）させることができないという問題があった。つまり、運転中に、何れかの圧縮機の電気系統に漏電等の異常が生じることにより電力供給が遮断されて運転が停止した場合、３台の圧縮機のうち何れに電気系統の異常が生じたかが不明であるため、その各圧縮機を単に起動させるだけでは再び電気系統の異常により電力供給が遮断されることになる。したがって、電気系統の異常が生じた圧縮機を取り除かない限り、運転を再開させることができないという問題があった。
【０００４】
本発明は、斯かる点に鑑みてなされたものであり、その目的とするところは、冷凍機器における電気系統の異常により電力供給が遮断されて冷凍運転が停止した後、その電気系統の異常が生じた冷凍機器を判別して起動させないようにすることにより、少なくとも冷凍運転を再開（再起動）させることである。
【課題を解決するための手段】
【０００５】
具体的に、第１の発明は、電源より遮断器を介して冷凍機器（2A,2B,・・・）の電気系統に電力供給され、冷凍運転を行う冷凍装置を前提としている。そして、本発明の冷凍装置は、上記電気系統の異常によって遮断器が遮断した後の再起動時に、予め設定された対象の冷凍機器（2A,2B,・・・）を順次起動させる順次起動手段（91）を備えている。さらに、本発明の冷凍装置は、上記順次起動手段（91）による順次起動時に電気系統の異常によって遮断器が遮断すると、異常直前に電力供給した冷凍機器（2A,2B,・・・）を上記順次起動手段（91）の対象外とする異常処理手段（92）を備えている。
【０００６】
上記の発明では、冷凍機器の電気系統に異常が発生して冷凍運転が停止した場合、その電気系統に異常が発生した冷凍機器が判別される。
【０００７】
具体的に、例えば、複数の圧縮機などの冷凍機器において漏電や断線などの電気系統の異常が発生することにより、遮断器が遮断して冷凍運転が異常停止した場合について考える。先ず、上記順次起動手段（91）により、予め設定された対象の冷凍機器（例えば、複数の圧縮機）へ順次電力供給されて起動される。この場合、第１の圧縮機が電力供給されて正常に起動すれば、次の第２の圧縮機へ電力供給される。ここで、第２の圧縮機が正常に起動せずに再び遮断器が遮断すると、上記異常処理手段（92）によって第２の圧縮機が順次起動手段（91）の対象から除外される。つまり、上記第２の圧縮機が電気系統に異常が生じた冷凍機器（故障機器）として判別され、順次起動手段（91）は第２の圧縮機を除いた他の圧縮機を対象の冷凍機器として再び順次起動させる。したがって、この起動方法を繰り返すことにより、予め設定された対象の冷凍機器から電気系統に異常が生じた故障機器が全て判別される。この結果、判別された故障機器を取り外す等により、正常に冷凍運転が再開される。
【０００８】
また、第２の発明は、上記第１の発明において、上記順次起動手段（91）が対象とする冷凍機器（2A,2B,・・・）が全て正常に起動すると、上記異常処理手段（92）によって対象外とした冷凍機器（2A,2B,・・・）を停止させたまま通常運転に移行させる移行手段（93）を備えている。
【０００９】
上記の発明では、順次起動手段（91）が対象とする冷凍機器（2A,2B,・・・）が全て正常に起動すると、すなわち故障機器が全て判別されると、その故障機器へは電力供給せずに停止させたまま、正常な冷凍機器のみを起動させることによって通常運転が行われる。したがって、確実に冷凍運転が再開される。
【００１０】
また、第３の発明は、上記第１の発明において、上記順次起動手段（91）が順次起動させる対象の冷凍機器は、複数の圧縮機（2A,2B,2C）である。
【００１１】
上記の発明では、例えば、３台の圧縮機（2A,2B,2C）を用いて行う冷凍運転が異常停止した場合、異常処理手段（92）によって例えば２台の圧縮機（2B,2C）が故障機器として判別されると、この２台の故障機器を除いた１台の圧縮機（2A）のみを起動させて冷凍運転が再開される。つまり、少なくとも正常な圧縮機（2A）だけは確実に起動されるので、確実に運転が再開される。
【００１２】
また、第４の発明は、上記第１の発明において、上記順次起動手段（91）が順次起動させる対象の冷凍機器は、複数の圧縮機（2A,2B,2C）と複数のファン（F1,F2）である。
【００１３】
上記の発明では、例えば、３台の圧縮機（2A,2B,2C）と２台の室外ファン（F1,F2）とを用いて行う冷凍運転が異常停止した場合、異常処理手段（92）によって例えば２台の圧縮機（2B,2C）と１台の室外ファン（F2）とが故障機器として判別されると、これらの故障機器を除いた１台の圧縮機（2A）と１台の室外ファン（F1）を起動させて冷凍運転が再開される。つまり、少なくとも正常な圧縮機（2A）や室外ファン（F1）だけは確実に起動されるので、確実に運転が再開される。
【発明の効果】
【００１４】
したがって、第１の発明によれば、冷凍機器における電気系統の異常により遮断器（81）が遮断して運転が異常停止すると、予め対象の冷凍機器（2A,2B,・・・）に順次起動させ、この起動時に再び電気系統の異常により遮断器（81）が遮断すると、その遮断直前に電力供給した冷凍機器を起動させないようにしたため、対象とした冷凍機器（2A,2B,・・・）の中から電気系統に異常が生じた機器を故障機器として確実に判別することができる。したがって、故障機器として判別された冷凍機器へ電力供給しないようにすれば、つまり故障機器を除く正常な冷凍機器にのみへ電力供給すれば、確実に運転を再開（再起動）させることができる。
【００１５】
さらに、第２の発明によれば、順次起動させた対象の冷凍機器（2A,2B,・・・）が全て正常に起動すると、対象外とした冷凍機器を停止させたまま通常運転に移行させるようにしたので、再び電気系統の異常により遮断器（81）が遮断するのを回避し、確実に通常運転を再開（再起動）させることができる。すなわち、対象外の冷凍機器に対応する各種能力が発揮されなくなるが、少なくとも運転を再開（再起動）させることができる。
【００１６】
また、第３の発明によれば、複数の圧縮機（2A,2B,2C）を、第４の発明によれば、複数の圧縮機（2A,2B,2C）に加えて複数のファン（F1,F2）を順次起動手段（91）が順次起動させる対象の冷凍機器として設定するようにしたので、そのうちの幾つかが電気系統の異常により起動不能になっても、少なくとも正常な圧縮機（2A,2B,2C）やファン（F1,F2）を起動させることができるので、確実に運転を再開させることができる。
【発明を実施するための最良の形態】
【００１７】
以下、本発明の実施形態を図面に基づいて詳細に説明する。
【００１８】
《発明の実施形態１》
図１に示すように、本実施形態１に係る冷凍装置（1）は、コンビニエンスストアに設けられ、冷蔵ショーケースおよび冷凍ショーケースの冷却と店内の冷暖房とを行うためのものである。
【００１９】
上記冷凍装置（1）は、室外ユニット（1A）、室内ユニット（1B）、冷蔵ユニット（1C）および冷凍ユニット（1D）を有し、蒸気圧縮式冷凍サイクルを行う冷媒回路（1E）を備えている。この冷媒回路（1E）は、室内ユニット（1B）により構成される空調系統と、冷蔵ユニット（1C）および冷凍ユニット（1D）により構成される冷却系統とを備えている。そして、上記冷媒回路（1E）は、冷房サイクルと暖房サイクルとに切り換わるように構成されている。
【００２０】
上記室内ユニット（1B）は、例えば売場などに設置されて店内の冷暖房を行う。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。
【００２１】
〈室外ユニット〉
上記室外ユニット（1A）は、圧縮機構である３台の圧縮機（2A,2B,2C）と、流路切換手段である３つの四路切換弁（3A,3B,3C）と、熱源側熱交換器である室外熱交換器（4）とを備えている。
【００２２】
上記３台の圧縮機（2A,2B,2C）は、第１圧縮機としてのインバータ圧縮機（2A）と、第２圧縮機としての第１ノンインバータ圧縮機（2B）と、第３圧縮機としての第２ノンインバータ圧縮機（2C）であり、何れも、密閉型の高圧ドーム型スクロール圧縮機で構成されている。上記インバータ圧縮機（2A）は、電動機がインバータ制御されて容量が段階的又は連続的に可変となる可変容量圧縮機である。上記第１ノンインバータ圧縮機（2B）および第２ノンインバータ圧縮機（2C）は、電動機が常に一定回転数で駆動する定容量圧縮機である。
【００２３】
上記インバータ圧縮機（2A）、第１ノンインバータ圧縮機（2B）および第２ノンインバータ圧縮機（2C）の各吐出管（5a,5b,5c）は、１つの高圧ガス管（8）に接続され、該高圧ガス管（8）が第１四路切換弁（3A）の第１ポートに接続されている。上記第１ノンインバータ圧縮機（2B）の吐出管（5b）および第２ノンインバータ圧縮機（2C）の吐出管（5c）には、それぞれ逆止弁（7）が設けられている。なお、上記高圧ガス管（8）には、オイルセパレータ（30）が設けられている。
【００２４】
上記室外熱交換器（4）は、一端であるガス側端部が室外ガス管（9）によって第１四路切換弁（3A）の第３ポートに接続され、他端である液側端部が液ラインである室外液管（10）の一端に接続されている。上記室外液管（10）は、途中に液冷媒を貯留するレシーバ（14）が設けられ、他端が閉鎖弁（20）を介して室外ユニット（1A）の外部に配設された連絡液配管（11）に接続されている。なお、上記室外液管（10）には、レシーバ（14）の上流に該レシーバ（14）へ向かう冷媒の流れのみを許容する逆止弁（7）が設けられると共に、レシーバ（14）の下流に該レシーバ（14）から閉鎖弁（40）へ向かう冷媒の流れのみを許容する逆止弁（7）が設けられている。
【００２５】
上記室外熱交換器（4）は、例えば、クロスフィン式のフィン・アンド・チューブ型熱交換器により構成されている。そして、この室外熱交換器（4）には、熱源ファンである２つの室外ファン（F1,F2）が近接して配置されている。
【００２６】
上記第１四路切換弁（3A）の第４ポートは、室外ユニット（1A）の外部に配設された第１連絡ガス配管（17）が閉鎖弁（20）を介して接続され、第２ポートは、接続管（18）によって第２四路切換弁（3B）の第４ポートに接続されている。この第２四路切換弁（3B）の第１ポートは、補助ガス管（19）によって第２ノンインバータ圧縮機（2C）の吐出管（5c）に接続されている。また、上記第２四路切換弁（3B）の第２ポートには、第２ノンインバータ圧縮機（2C）の吸入管（6c）が接続されている。なお、上記第２四路切換弁（3B）の第３ポートは、閉塞された閉塞ポートとなっている。つまり、この第２四路切換弁（3B）は、３つのポートを備えた三路切換弁であってもよい。
【００２７】
上記第１四路切換弁（3A）は、高圧ガス管（8）と室外ガス管（9）とが連通し且つ接続管（18）と第１連絡ガス配管（17）とが連通する第１状態（図１に実線で示す状態）と、高圧ガス管（8）と第１連絡ガス配管（17）とが連通し且つ接続管（18）と室外ガス管（9）とが連通する第２状態（図１に破線で示す状態）とに切り換わるように構成されている。また、上記第２四路切換弁（3B）は、補助ガス管（19）と閉鎖ポートとが連通し且つ接続管（18）と第２ノンインバータ圧縮機（2C）の吸入管（6c）とが連通する第１状態（図１に実線で示す状態）と、補助ガス管（19）と接続管（18）とが連通し且つ吸入管（6c）と閉鎖ポートとが連通する第２状態（図１に破線で示す状態）とに切り換わるように構成されている。
【００２８】
上記インバータ圧縮機（2A）の吸入管（6a）は、閉鎖弁（20）を介して室外ユニット（1A）の外部に配設された第２連絡ガス配管（15）に接続されている。また、上記第１ノンインバータ圧縮機（2B）の吸入管（6b）は、第３四路切換弁（3C）に接続され、インバータ圧縮機（2A）の吸入管（6a）または第２ノンインバータ圧縮機（2C）の吸入管（6c）に連通するように構成されている。
【００２９】
具体的には、上記インバータ圧縮機（2A）の吸入管（6a）は、分岐管（6d）を介して第３四路切換弁（3C）の第１ポートに接続されている。上記第１ノンインバータ圧縮機（2B）の吸入管（6b）は、第３四路切換弁（3C）の第２ポート（P2）に接続されている。上記第２ノンインバータ圧縮機（2C）の吸入管（6c）は、分岐管（6e）を介して第３四路切換弁（3C）の第３ポート（P3）に接続されている。また、上記第３四路切換弁（3C）の第４ポートは、後述するレシーバ（14）からのガス抜き管（28）の分岐管（28a）が接続されている。そして、上記分岐管（6d,6e）は、逆止弁（7）が１つずつ設けられ、何れも第３四路切換弁（3C）へ向かう冷媒の流れのみを許容する。
【００３０】
上記第３四路切換弁（3C）は、インバータ圧縮機（2A）の吸入管（6a）と第１ノンインバータ圧縮機（2B）の吸入管（6b）とが連通し且つ第２ノンインバータ圧縮機（2C）の吸入管（6c）とガス抜き管（28）とが連通する第１状態（図１に実線で示す状態）と、インバータ圧縮機（2A）の吸入管（6a）とガス抜き管（28）とが連通し且つノンインバータ圧縮機（2B,2C）の吸入管（6b,6c）同士が連通する第２状態（図１に破線で示す状態）とに切り換わるように構成されている。
【００３１】
上記室外液管（10）には、レシーバ（14）とその上流側の逆止弁（7）とをバイパスする補助液管（25）が接続されている。この補助液管（25）に膨張機構である室外膨張弁（26）が設けられている。また、上記室外液管（10）には、逆止弁（7）を有する液分岐管（36）が接続されている。この液分岐管（36）は、一端がレシーバ（14）とその上流側の逆止弁（7）との間に接続され、他端がレシーバ（14）の下流側の逆止弁（7）と閉鎖弁（20）との間に接続されている。そして、上記液分岐管（36）の逆止弁（7）は、レシーバ（14）へ向かう冷媒流れのみを許容するものである。
【００３２】
上記補助液管（25）とインバータ圧縮機（2A）の吸入管（6a）との間には、膨張機構である電子膨張弁（29）を有するリキッドインジェクション管（27）が接続されている。また、上記レシーバ（14）の上部とインバータ圧縮機（2A）の吐出管（5a）との間には、逆止弁（7）を有するガス抜き管（28）が接続されている。このガス抜き管（28）の逆止弁（7）は、分岐管（28a）の接続点とレシーバ（14）との間に設けられ、レシーバ（14）から吐出管（5a）へ向かう冷媒流れのみを許容するものである。
【００３３】
なお、この室外ユニット（1A）において、３台の圧縮機（2A,2B,2C）、２台の室外ファン（F1,F2）、３つの四路切換弁（3A,3B,3C）や室外膨張弁（26）等は、冷凍機器を構成している。
【００３４】
〈室内ユニット〉
上記室内ユニット（1B）は、利用側熱交換器である室内熱交換器（41）と膨張機構である室内膨張弁（42）とを備えている。上記室内熱交換器（41）は、一端であるガス側端部が第１連絡ガス配管（17）に接続され、他端である液側端部が室内膨張弁（42）を介して連絡液配管（11）に接続されている。なお、上記室内熱交換器（41）は、例えば、クロスフィン式のフィン・アンド・チューブ型熱交換器であって、利用側ファンである室内ファン（43）が近接して配置されている。また、上記室内膨張弁（42）は、電動膨張弁により構成されている。また、この室内ユニット（1B）において、室内膨張弁（42）や室内ファン（43）は、冷凍機器を構成している。
【００３５】
〈冷蔵ユニット〉
上記冷蔵ユニット（1C）は、利用側熱交換器である冷蔵熱交換器（45）と、膨張機構である冷蔵膨張弁（46）とを備えている。上記冷蔵熱交換器（45）は、一端である液側端部が冷蔵膨張弁（46）および電磁弁（7a）を順に介して連絡液配管（11）より分岐した第１分岐液配管（12）に接続され、他端であるガス側端部が第２連絡ガス配管（15）に接続されている。上記電磁弁（7a）は、サーモオフ（休止）運転時に冷媒の流れを遮断するために用いられるものである。
【００３６】
上記冷蔵熱交換器（45）は、冷媒の蒸発圧力が室内熱交換器（41）における冷媒の蒸発圧力より低くなる。この結果、上記冷蔵熱交換器（45）の冷媒蒸発温度は例えば−１０℃に設定され、室内熱交換器（41）の冷媒蒸発温度は例えば＋５℃に設定され、冷媒回路（1E）が異温度蒸発の回路を構成している。
【００３７】
なお、上記冷蔵膨張弁（46）は、感温式膨張弁であって、感温筒が冷蔵熱交換器（45）のガス側に取り付けられている。したがって、この冷蔵膨張弁（46）は、冷蔵熱交換器（45）の出口側の冷媒温度に基づいて開度が調整される。上記冷蔵熱交換器（45）は、例えば、クロスフィン式のフィン・アンド・チューブ型熱交換器であって、利用側ファンである冷蔵ファン（47）が近接して配置されている。また、この冷蔵ユニット（1C）において、冷蔵膨張弁（46）や冷蔵ファン（47）は、冷凍機器を構成している。
【００３８】
〈冷凍ユニット〉
上記冷凍ユニット（1D）は、利用側熱交換器である冷凍熱交換器（51）と膨張機構である冷凍膨張弁（52）と冷凍圧縮機であるブースタ圧縮機（53）とを備えている。上記冷凍熱交換器（51）は、一端である液側端部が冷凍膨張弁（52）および電磁弁（7b）を順に介して第１分岐液配管（12）より分岐した第２分岐液配管（13）に接続され、他端であるガス側端部が接続ガス管（54）を介してブースタ圧縮機（53）の吸込側に接続されている。このブースタ圧縮機（53）の吐出側には、第２連絡ガス配管（15）より分岐した分岐ガス配管（16）が接続されている。この分岐ガス配管（16）には、ブースタ圧縮機（53）側から順にオイルセパレータ（55）および逆止弁（7）が設けられている。この逆止弁（7）は、ブースタ圧縮機（53）から第２連絡ガス配管（15）へ向かう冷媒流れのみを許容するものである。上記オイルセパレータ（55）と接続ガス管（54）との間には、キャピラリチューブ（56）を有する油戻し管（57）が接続されている。
【００３９】
上記ブースタ圧縮機（53）は、冷凍熱交換器（51）の冷媒蒸発温度が冷蔵熱交換器（45）の冷媒蒸発温度より低くなるように室外ユニット（1A）の圧縮機（2A,2B,2C）との間で冷媒を２段圧縮している。上記冷凍熱交換器（51）の冷媒蒸発温度は、例えば−３５℃に設定されている。
【００４０】
なお、上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、利用側ファンである冷凍ファン（58）が近接して配置されている。
【００４１】
また、上記接続ガス管（54）と分岐ガス配管（16）における逆止弁（7）の下流側との間には、逆止弁（7）を有するバイパス管（59）が接続されている。このバイパス管（59）は、ブースタ圧縮機（53）の故障等の停止時に冷媒がブースタ圧縮機（53）をバイパスして分岐ガス配管（16）へ向かって流れるように構成されている。上記冷凍ユニット（1D）において、冷凍膨張弁（52）、冷凍ファン（58）やブースタ圧縮機（53）は、冷凍機器を構成している。
【００４２】
〈制御系統〉
上記冷媒回路（1E）には、各種センサおよび各種スイッチが設けられている。上記室外ユニット（1A）の高圧ガス管（8）には、冷媒の高圧圧力を検出する圧力検出手段でる高圧圧力センサ（61）と、冷媒の吐出温度を検出する温度検出手段である吐出温度センサ（62）とが設けられている。上記第２ノンインバータ圧縮機（2C）の吐出管（5c）には、高冷媒の吐出温度を検出する温度検出手段である吐出温度センサ（63）が設けられている。また、上記インバータ圧縮機（2A）、第１ノンインバータ圧縮機（2B）および第２ノンインバータ圧縮機（2C）の各吐出管（5a，5b，5c）には、冷媒の高圧圧力が所定値になると開く圧力スイッチ（64）が設けられている。
【００４３】
上記インバータ圧縮機（2A）および第２ノンインバータ圧縮機（2C）の各吸入管（6a，6c）には、冷媒の低圧圧力を検出する圧力検出手段である低圧圧力センサ（65，66）と、冷媒の吸入温度を検出する温度検出手段である吸入温度センサ（67，68）とが設けられている。
【００４４】
上記室外熱交換器（4）には、冷媒の蒸発温度又は凝縮温度を検出する温度検出手段である室外熱交換センサ（69）が設けられている。また、上記室外ユニット（1A）には、外気温度を検出する温度検出手段である外気温センサ（70）が設けられている。
【００４５】
上記室内熱交換器（41）には、冷媒の凝縮温度又は蒸発温度を検出する温度検出手段である室内熱交換センサ（71）が設けられると共に、ガス側にガス冷媒温度を検出する温度検出手段であるガス温センサ（72）が設けられている。また、上記室内ユニット（1B）には、室内空気温度を検出する温度検出手段である室温センサ（73）が設けられている。
【００４６】
上記冷蔵ユニット（1C）には、冷蔵用のショーケース内の庫内温度を検出する温度検出手段である冷蔵温度センサ（74）が設けられている。上記冷凍ユニット（1D）には、冷凍用のショーケース内の庫内温度を検出する温度検出手段である冷凍温度センサ（75）が設けられている。また、ブースタ圧縮機（53）の吐出側には、冷媒の吐出圧力が所定値になると開く圧力スイッチ（64）が設けられている。
【００４７】
上記冷凍装置（1）は、コントローラ（90）を備えている。このコントローラ（90）は、室外膨張弁（26）や室内膨張弁（42）の開度制御を行うと共に、各四路切換弁（3A,3B,3C）の切り換えなどを行うように構成されている。
【００４８】
また、上記コントローラ（80）は、本発明の特徴として、冷凍機器の電源回路（80）を制御するように構成されている。図２に示すように、上記電源回路（80）は、各冷凍機器の電気系統に電力供給するものである。具体的に、電源がブレーカ（遮断器）（81）を介してインバータ圧縮機（2A）や第１室外ファン（F1）などの各冷凍機器の電気系統に接続されている。また、図示しないが、室外膨張弁（26）や各四路切換弁（3A,3B,3C）など他の冷凍機器の電気系統にも電源がブレーカ（遮断器）（81）を介して接続されている。そして、この各電気系統は、それぞれに対応する継電器（82〜86）の閉動作によって通電される。上記ブレーカ（81）は、運転中に各冷凍機器の電気系統に異常が生じると、遮断するように構成されている。
【００４９】
上記コントローラ（90）は、順次起動部（91）と異常処理部（92）と運転移行部（93）とを備え、電気系統の異常によって運転が停止した後の再起動の制御を行う。
【００５０】
上記順次起動部（91）は、電気系統の異常によってブレーカ（81）が遮断した後の再起動時に、各種冷凍機器のうち予め設定した対象の冷凍機器（2A,2B,・・・）を順次起動させる順次起動手段を構成している。つまり、この順次起動部（91）は、対象の冷凍機器（2A,2B,・・・）に対応するそれぞれの継電器（82〜86）を順次閉じて電力供給する。そして、本実施形態では、各種冷凍機器のうち、インバータ圧縮機（2A）、第１ノンインバータ圧縮機（2B）、第２ノンインバータ圧縮機（2C）、第１室外ファン（F1）および第２室外ファン（F2）の５つが対象の冷凍機器（以下、対象機器という。）として設定されている。
【００５１】
上記異常処理部（92）は、順次起動部（91）による順次起動時に電気系統の異常によってブレーカ（81）が遮断すると、異常直前に電力供給した対象機器を順次起動部（91）の対象外とする異常処理手段を構成している。つまり、上記異常処理部（92）は、順次起動時にブレーカ（81）が遮断すると、その遮断する直前に起動させようとした対象機器を故障機器として判別し、順次起動部（91）がその故障機器として判別された対象機器を除いた他の対象機器を再び順次起動させる。
【００５２】
上記運転移行部（93）は、順次起動部（91）の対象機器（2A,2B,・・・）が全て正常に起動すると、異常処理部（92）によって対象外とした対象機器、すなわち故障機器として判別された対象機器を停止させたまま通常運転に移行させる移行手段を構成している。つまり、上記運転移行部（93）は、故障機器として判別された対象機器を除く正常な対象機器（2A,2B,・・・）を起動させることにより運転を再開させる。
【００５３】
−運転動作−
次に、上記冷凍装置（1）の運転動作について説明する。本実施形態では、室内ユニット（1B）の冷房と冷蔵ユニット（1C）および冷凍ユニット（1D）の冷却とを同時に行う「冷房冷凍運転」と、室内ユニット（1B）の暖房と冷蔵ユニット（1C）および冷凍ユニット（1D）の冷却とを同時に行う「暖房冷凍運転」とに切換可能に構成されている。
【００５４】
〈冷房冷凍運転〉
この冷房冷凍運転は、図３に示すように、インバータ圧縮機（2A）、第１ノンインバータ圧縮機（2B）および第２ノンインバータ圧縮機（2C）を駆動すると共に、ブースタ圧縮機（53）を駆動する。
【００５５】
また、上記第１四路切換弁（3A）、第２四路切換弁（3B）および第３四路切換弁（3C）は、それぞれ第１状態に切り換わる。さらに、上記冷蔵ユニット（1C）および冷凍ユニット（1D）の各電磁弁（7a,7b）が開状態に設定される一方、室外膨張弁（26）は閉状態に設定される。また、上記リキッドインジェクション管（27）の電子膨張弁（29）は、インバータ圧縮機（2A）および第１ノンインバータ圧縮機（2B）の吸入側に所定流量の液冷媒を供給するように開度調節される。
【００５６】
この状態において、インバータ圧縮機（2A）と第１ノンインバータ圧縮機（2B）と第２ノンインバータ圧縮機（2C）から吐出した冷媒は、高圧ガス管（8）で合流し、第１四路切換弁（3A）から室外ガス管（9）を経て室外熱交換器（4）で凝縮する。この凝縮した液冷媒は、室外液管（10）を流れ、レシーバ（14）を経て連絡液配管（11）に流れる。
【００５７】
上記連絡液配管（11）の液冷媒は、一部が第１分岐液配管（12）に分流し、残りが室内ユニット（1B）に流れる。この室内ユニット（1B）では、液冷媒が室内膨張弁（42）を経て室内熱交換器（41）で蒸発し、店内が冷房される。この蒸発したガス冷媒は、第１連絡ガス配管（17）を通って室外ユニット（1A）に流れ、第１四路切換弁（3A）および第２四路切換弁（3B）を経て吸入管（6c）より第２ノンインバータ圧縮機（2C）に戻る。
【００５８】
一方、上記第１分岐液配管（12）に流れた液冷媒は、一部が第２分岐液配管（13）に分流して冷凍ユニット（1D）に流れ、残りが冷蔵ユニット（1C）に流れる。この冷蔵ユニット（1C）では、液冷媒が冷蔵膨張弁（46）を経て冷蔵熱交換器（45）で蒸発し、冷蔵用ショーケースの庫内が冷却される。その後、蒸発したガス冷媒は、第２連絡ガス配管（15）に流れる。上記冷凍ユニット（1D）では、液冷媒が冷凍膨張弁（52）を経て冷凍熱交換器（51）で蒸発し、冷凍用ショーケースの庫内が冷却される。この蒸発したガス冷媒は、ブースタ圧縮機（53）で圧縮された後、分岐ガス配管（16）を通って第２連絡ガス配管（15）で冷蔵ユニット（1C）からのガス冷媒と合流する。上記第２連絡ガス配管（15）で合流したガス冷媒は、室外ユニット（1A）に流れて吸入管（6a,6b）よりインバータ圧縮機（2A）と第１ノンインバータ圧縮機（2B）に戻る。
【００５９】
〈暖房冷凍運転〉
この暖房冷凍運転は、図４に示すように、インバータ圧縮機（2A）、第１ノンインバータ圧縮機（2B）および第２ノンインバータ圧縮機（2C）を駆動すると共に、ブースタ圧縮機（53）を駆動する。
【００６０】
また、上記第１四路切換弁（3A）は第２状態に切り換わり、第２四路切換弁（3B）および第３四路切換弁（3C）は第１状態に切り換わる。さらに、上記冷蔵ユニット（1C）および冷凍ユニット（1D）の各電磁弁（7a,7b）が開状態に設定される一方、室内膨張弁（42）が全開状態に設定されている。なお、上記リキッドインジェクション管（27）の電子膨張弁（29）は所定開度に制御され、冷媒流量を調整している。
【００６１】
この状態において、インバータ圧縮機（2A）と第１ノンインバータ圧縮機（2B）と第２ノンインバータ圧縮機（2C）から吐出した冷媒は、第１四路切換弁（3A）から第１連絡ガス配管（17）を通って室内ユニット（1B）に流れる。この室内ユニット（1B）では、液冷媒が室内熱交換器（41）で凝縮し、店内が暖房される。この凝縮した液冷媒は、連絡液配管（11）に流れ、一部が第１分岐液配管（12）に分流し、残りが室外ユニット（1A）に流れる。この室内ユニット（1B）に流れた液冷媒は、液分岐管（36）を流れてレシーバ（14）に流入した後、室外膨張弁（26）を経て室外熱交換器（4）で蒸発する。この蒸発したガス冷媒は、室外ガス管（9）を流れ、第１四路切換弁（3A）および第２四路切換弁（3B）を経て吸入管（6c）より第２ノンインバータ圧縮機（2C）に戻る。
【００６２】
一方、上記第１分岐液配管（12）に流れた液冷媒は、一部が第２分岐液配管（13）より冷凍ユニット（1D）に流れ、残りが冷蔵ユニット（1C）に流れる。上記冷蔵ユニット（1C）では、液冷媒が冷蔵熱交換器（45）で蒸発し、冷蔵用ショーケースの庫内が冷却される。上記冷凍ユニット（1D）では、液冷媒が冷凍熱交換器（51）で蒸発して冷凍用ショーケースの庫内が冷却され、蒸発したガス冷媒がブースタ圧縮機（53）で圧縮される。そして、上記冷蔵ユニット（1C）および冷凍ユニット（1D）で蒸発したガス冷媒は、第２連絡ガス配管（15）で合流して室外ユニット（1A）に流れ、インバータ圧縮機（2A）および第１ノンインバータ圧縮機（2B）に戻る。
【００６３】
〈運転再開時の制御〉
次に、上述した運転中に、対象機器（2A,2B,・・・）の電気系統に漏電や短絡などの異常が発生することによりブレーカ（81）が遮断し、運転が異常停止した場合の運転再開時の制御について説明する。上記ブレーカ（81）が遮断して運転停止になると、図５に示すように、コントローラ（90）の制御がスタートする。なお、上記ブレーカ（81）が遮断すると、対象機器（2A,2B,・・・）に対応する全ての継電器（82〜86）が開く。
【００６４】
先ず、ステップＳＴ１において、作業者等によって電源回路（80）のブレーカ（81）がＯＮされて通電状態になると、ステップＳＴ２へ移行する。このステップＳＴ２では、コントローラ（90）の順次起動部（91）によって対象機器（2A,2B,・・・）の台数が認定される。つまり、上記インバータ圧縮機（2A）、第１ノンインバータ圧縮機（2B）、第２ノンインバータ圧縮機（2C）、第１室外ファン（F1）および第２室外ファン（F2）の５台が対象機器の台数（Ｎ＝５）として認定される。
【００６５】
上記ステップＳＴ３では、順次起動部（91）がインバータ圧縮機（2A）の起動指示を出す。つまり、本実施形態では、順次起動部（91）がインバータ圧縮機（2A）を１番目（ｎ＝１）として、第１ノンインバータ圧縮機（2B）を２番目（ｎ＝２）として、第２ノンインバータ圧縮機（2C）を３番目（ｎ＝３）として、第１室外ファン（F1）を４番目（ｎ＝４）として、第２室外ファン（F2）を５番目（ｎ＝５）として、その順番に起動指示を出すように予め設定されている。そして、このステップＳＴ３では、インバータ圧縮機（2A）の起動指示が出ると、所定時間Ｔ１（例えば、０．３秒）の間に「故障フラグ」がＯＮする。
【００６６】
次に、上記ステップＳＴ４では、ステップＳＴ３においてインバータ圧縮機（2A）の起動指示が出てから所定時間Ｔ２（例えば、１．０秒）が経過すると、順次起動部（91）によって電源回路（80）の第１継電器（82）を閉じてインバータ圧縮機（2A）への通電が開始され、ステップＳＴ５へ移行する。
【００６７】
上記ステップＳＴ５では、インバータ圧縮機（2A）が正常に起動したか否かが判定される。具体的には、図６に示すように、インバータ圧縮機（2A）が通電開始から所定時間Ｔ３（例えば、１０．０秒）の間連続して駆動すると、正常に起動したと判定されてステップＳＴ７へ移行する。なお、この場合、通電開始から所定時間Ｔ３が経過すると、順次起動部（91）により第１継電器（82）が開いて通電が停止される。一方、例えば、図７に示すように、インバータ圧縮機（2A）が通電開始後一旦起動するが電気系統の異常によりブレーカ（81）が再び遮断して所定時間Ｔ３が経過するまでに停止すると、正常に起動していないと判定され、ステップＳＴ６へ移行する。なお、このステップＳＴ５では、上記図７に示した場合だけでなく、通電開始から所定時間Ｔ３の間に亘って停止した場合、または所定時間Ｔ３の途中に一旦起動して停止した場合も正常に起動していないと判定される。すなわち、上記ステップＳＴ５では、通電開始から所定時間Ｔ３の間に一時でも停止すれば、正常に起動していないと判定される。
【００６８】
上記ステップＳＴ６では、異常処理部（92）がインバータ圧縮機（2A）を順次起動部（91）の対象外とし、その「故障フラグ」がＯＮのまま残る。すなわち、このステップＳＴ６において、インバータ圧縮機（2A）が故障機器として判別される。このインバータ圧縮機（2A）が故障機器として判別されると、ステップＳＴ１へ戻り、ブレーカ（81）が再びＯＮされる。そして、ステップＳＴ２において、対象機器の台数が４台（Ｎ＝５−１）と再認定される。つまり、このステップＳＴ２では、インバータ圧縮機（2A）に代えて第１ノンインバータ圧縮機（2B）が１番目（ｎ＝１）として再設定され、ステップＳＴ３へ移行する。
【００６９】
上記ステップＳＴ３では、順次起動部（91）が再び対象機器へ順次起動指示を出す。具体的に、上記順次起動部（91）は、対象外となったインバータ圧縮機（2A）を省いて、１番目（ｎ＝１）である第１ノンインバータ圧縮機（2B）の起動指示を出す。その後は、上述と同様にステップＳＴ４以降へ順次移行する。
【００７０】
一方、上記ステップＳＴ５からステップＳＴ７へ移行すると、インバータ圧縮機（2A）が正常な機器として判別され、その「故障フラグ」がＯＦＦし、ステップＳＴ８へ移行する。このステップＳＴ８では、インバータ圧縮機（2A）が最終番の対象機器（2A,2B,・・・）であるか否かが、つまり、この場合、５番目（ｎ＝Ｎ）であるか否かが判定される。そして、最終番でないと判定されると、ステップＳＴ３へ戻り、最終番であると判定されると、ステップＳＴ９へ移行する。
【００７１】
上記ステップＳＴ３では、順次起動部（91）が２番目（ｎ＝２）である第１ノンインバータ圧縮機（2B）の起動指示を出し、第１ノンインバータ圧縮機（2B）の「故障フラグ」がＯＮする。その後は、上述と同様にステップＳＴ４以降へ順次移行する。
【００７２】
このように、本発明の制御では、対象機器（2A,2B,・・・）を順次起動させて故障機器であるか否かを順に判別し、一旦故障機器を判別すると、その故障機器を除いた他の対象機器（2A,2B,・・・）を再び順次起動させる。ここで、例えば、インバータ圧縮機（2A）が正常な機器として、次に第１ノンインバータ圧縮機（2B）が故障機器として、次に第２ノンインバータ圧縮機（2C）が正常な機器として、次に第１室外ファン（F1）が故障機器として順次判別された場合を考える。
【００７３】
この場合、ステップＳＴ６において、第１室外ファン（F1）が順次起動部（91）の対象外とされて「故障フラグ」がＯＮのまま残り、ステップＳＴ１へ戻ってブレーカ（81）が再びＯＮされる。次に、ステップＳＴ２において、対象機器の台数がＮ＝４−１＝３台（インバータ圧縮機（2A）、第２ノンインバータ圧縮機（2C）および第２室外ファン（F2））と再認定される。そして、ステップＳＴ３において、順次起動部（91）が再認定した３台の対象機器に対して起動指示を順次出す。
【００７４】
つまり、先ず、上記順次起動部（91）が１番目（ｎ＝１）であるインバータ圧縮機（2A）の起動指示を出すと、ステップＳＴ４以降へ順次移行し、ステップＳＴ８において、インバータ圧縮機（2A）は最終番（ｎ＝１≠Ｎ）でないと判定され、ステップＳＴ３へ戻る。このステップＳＴ３では、順次起動部（91）が対象外の第１ノンインバータ圧縮機（2B）を省いて、２番目（ｎ＝２）である第２ノンインバータ圧縮機（2C）の起動指示を出す。その後、ステップＳＴ４以降へ順次移行し、ステップＳＴ８において、第２ノンインバータ圧縮機（2C）は最終番（ｎ＝２≠Ｎ）でないと判定され、ステップＳＴ３へ戻る。次に、このステップＳＴ３では、順次起動部（91）が対象外の第１室外ファン（F1）を省いて、３番目（ｎ＝３）である第２室外ファン（F2）の起動指示を出す。その後、ステップＳＴ５およびステップＳＴ７へと移行して第２室外ファン（F2）が正常な機器として判別されると、ステップＳＴ８へ移行する。そして、このステップＳＴ８において、第２室外ファン（F2）は最終番（ｎ＝Ｎ＝３）であると判定されると、運転移行部（93）によってステップＳＴ９へ移行する。
【００７５】
なお、上記第２室外ファン（F2）がステップＳＴ５およびステップＳＴ６へと移行して故障機器と判別された場合は、ステップＳＴ１へ戻り、インバータ圧縮機（2A）および第２ノンインバータ圧縮機（2C）の２台が順次起動部（91）の対象として順次起動され、最終的にステップＳＴ９へ移行することになる。
【００７６】
上記第２室外ファン（F2）が最終番であると判定されてステップＳＴ９へ移行すると、運転移行部（93）によって通常運転が再開される。具体的に、ブレーカ（81）が再びＯＮされると、「故障フラグ」がＯＮのまま残った第１ノンインバータ圧縮機（2B）および第１室外ファン（F1）を除く、インバータ圧縮機（2A）、第２ノンインバータ圧縮機（2C）および第２室外ファン（F2）が運転移行部（93）によって順次起動されて、通常運転が再開される。
【００７７】
例えば、上記冷房冷凍運転が再開された場合、第１ノンインバータ圧縮機（2B）が停止しているので、冷蔵ユニット（1C）および冷凍ユニット（1D）の冷却能力が低下し、さらに第１室外ファン（F1）が停止しているので、室外熱交換器（4）における熱交換量が低下することになるが、少なくとも確実に運転を再開（再起動）させることができる。
【００７８】
−実施形態の効果−
以上説明したように、本実施形態によれば、冷凍機器における電気系統の異常によりブレーカ（81）が遮断して運転が異常停止すると、予め対象機器として設定した各圧縮機（2A,2B,2C）および各室外ファン（F1,F2）に順次起動させ、この起動時に再び電気系統の異常によりブレーカ（81）が遮断すると、その遮断直前に電力供給した対象機器を起動させないようにしたため、対象機器（2A,2B,・・・）の中から電気系統に異常が生じた故障機器を確実に判別することができる。
【００７９】
さらに、順次起動させた対象機器（2A,2B,・・・）が全て正常に起動すると、故障機器として判別された機器を停止させたまま通常運転に移行させるようにしたので、再び電気系統の異常によりブレーカ（81）が遮断して通常運転が異常停止するのを回避することができる。したがって、故障機器に対応する各種能力が発揮されなくなるが、少なくとも買う実に運転を再開（再起動）させることができる。
【００８０】
また、故障機器として判別されると、その故障機器に対応する「故障フラグ」をＯＮさせたまま維持するようにしたので、その故障機器を対象機器（2A,2B,・・・）から確実に除外するすることができる。したがって、通常運転への移行を確実に行うことができる。
【００８１】
また、上記対象機器（2A,2B,・・・）として、３台の圧縮機（2A,2B,2C）と２台の室外ファン（F1,F2）を設定するようにしたので、そのうちの幾つかが電気系統の異常により起動不能になっても、少なくとも正常な圧縮機（2A,2B,2C）や室外ファン（F1,F2）を起動させることができるので、確実に運転を再開させることができる。
【００８２】
《発明の実施形態２》
本実施形態２に係る冷凍装置（1）は、通常運転の開始時に常に対象機器（2A,2B,・・・）の故障を判別しながら起動させるようにしたものである。つまり、上記実施形態１では、漏電等の電気系統の異常によって運転が停止した際の再起動時に対象機器（2A,2B,・・・）の故障を判別し、その故障機器を除いて通常運転を再開させるようにした。これに対し、本実施形態は、通常運転の開始時に、対象機器（2A,2B,・・・）の故障を判別するが、正常であると判別された対象機器（2A,2B,・・・）が必要台数に達した時点で故障判別を終了し、そのまま通常運転へ移行する起動制御を行うようにしたものである。
【００８３】
具体的には、通常運転の開始時に、圧縮機（2A,2B,2C）の起動制御とファン（F1,F2）の起動制御とがほぼ同じタイミングで個別に行われる。なお、圧縮機（2A,2B,2C）とファン（F1,F2）の起動制御が同様であるため、主として圧縮機（2A,2B,2C）の起動制御について説明する。
【００８４】
図８に示すように、先ず、ステップＳＴ１１において、作業者等が電源回路（80）のブレーカ（81）をＯＮすると通電状態になり、ステップＳＴ１２へ移行する。このステップＳＴ１２では、コントローラ（90）の順次起動部（91）によって対象機器である圧縮機（2A,2B,2C）の台数がＮ＝３台と認定される。なお、ファン（F1,F2）の起動制御の場合、対象機器であるファン（F1,F2）の台数がＮ＝２台と認定される。
【００８５】
続いて、ステップＳＴ１３では、この通常運転における圧縮機（2A,2B,2C）の必要台数Ｃ台が認定され、ステップＳＴ１４へ移行する。この必要台数は、運転条件に応じて定められるもので、本実施形態ではＣ＝２台と仮定する。なお、ファン（F1,F2）の起動制御の場合、ステップＳＴ１３においてファン（F1,F2）の必要台数Ｆ台（例えば、Ｆ＝１台）が認定される。
【００８６】
次に、ステップＳＴ１４からステップＳＴ１６へは、上記実施形態１におけるステップＳＴ３からステップＳＴ５と同様の処理がされて移行する。すなわち、ステップＳＴ１４では、順次起動部（91）によって１番目（ｎ＝１）であるインバータ圧縮機（2A）へ起動指示が出され、「故障フラグ」がＯＮする。なお、本実施形態においても、インバータ圧縮機（2A）、第１ノンインバータ圧縮機（2B）および第２ノンインバータ圧縮機（2C）の順に起動指示が出るように予め設定されている。ステップＳＴ１５では、順次起動部（91）によって電源回路（80）の第１継電器（82）が閉じられてインバータ圧縮機（2A）への通電が開始される。そして、ステップＳＴ１６において、ブレーカ（81）が遮断してインバータ圧縮機（2A）が正常に起動していないと判定されると、ステップＳＴ１７へ移行し、インバータ圧縮機（2A）が正常に起動したと判定されると、ステップＳＴ１８へ移行する。
【００８７】
上記ステップＳＴ１７では、上記実施形態１と同様に、異常処理部（92）がインバータ圧縮機（2A）を故障機器として判別して順次起動部（91）の対象外とし、その「故障フラグ」がＯＮのまま残る。このインバータ圧縮機（2A）が故障機器として判別されると、ステップＳＴ１１へ戻り、ブレーカ（81）が再びＯＮされる。そして、ステップＳＴ１２において、圧縮機（2A,2B,2C）の対象台数が２台（Ｎ＝３−１）と再認定される。つまり、このステップＳＴ１２では、インバータ圧縮機（2A）に代えて第１ノンインバータ圧縮機（2B）が１番目（ｎ＝１）として再設定され、ステップＳＴ１３へ移行する。このステップＳＴ１３では、圧縮機（2A,2B,2C）の必要台数（Ｃ＝２台）が変更されていないことを確認してステップＳＴ１４へ移行する。
【００８８】
このステップＳＴ１４では、順次起動部（91）が再び対象となる圧縮機（2A,2B,2C）へ順次起動指示を出す。具体的に、上記順次起動部（91）は、対象外となったインバータ圧縮機（2A）を省いて、１番目（ｎ＝１）である第１ノンインバータ圧縮機（2B）の起動指示を出す。その後は、上述と同様にステップＳＴ１５以降へ順次移行する。
【００８９】
一方、上記ステップＳＴ１６からステップＳＴ１８へ移行すると、インバータ圧縮機（2A）が正常な機器として判別されて、そのままインバータ圧縮機（2A）の運転が継続され、ステップＳＴ１９へ移行する。その際、インバータ圧縮機（2A）の「故障フラグ」がＯＦＦする。つまり、本実施形態では、上記実施形態１とは異なり、正常であると判別された対象機器について通電を停止せずに継続して運転させる。
【００９０】
上記ステップＳＴ１９では、現時点において起動している圧縮機（2A,2B,2C）の台数がステップＳＴ１３で認定された必要台数（Ｃ＝２台）に達したか否かが判定される。そして、圧縮機（2A,2B,2C）の起動台数が必要台数に未達であると判定されると、ステップＳＴ１４へ戻り、圧縮機（2A,2B,2C）の起動台数が必要台数に達したと判定されると、圧縮機（2A,2B,2C）の起動制御が終了する。上記の場合、インバータ圧縮機（2A）の１台のみが起動しているので、圧縮機（2A,2B,2C）の起動台数が必要台数の２台に未達であると判定され、ステップＳＴ１４へ戻ることになる。なお、ファン（F1,F2）の起動制御の場合、ステップＳＴ１９では、現時点において起動しているファン（F1,F2）の台数がステップＳＴ１３で認定された必要台数（例えば、Ｆ＝１台）に達したか否かが判定される。そして、起動台数が必要台数に達すれば、ファン（F1,F2）の起動制御が終了する。
【００９１】
続いて、上記ステップＳＴ１４では、順次起動部（91）が２番目（ｎ＝２）である第１ノンインバータ圧縮機（2B）の起動指示を出し、その後、上述と同様にステップＳＴ１５以降へ順次移行する。そして、ステップＳＴ１８において、第１ノンインバータ圧縮機（2B）が正常であると判別されて運転し続けた場合、この時点で、インバータ圧縮機（2A）および第１ノンインバータ圧縮機（2B）の２台が起動していることになる。したがって、ステップＳＴ１９において、圧縮機（2A,2B,2C）の起動台数が必要台数の２台に達したと判定されて、圧縮機（2A,2B,2C）の起動制御が終了する。
【００９２】
また、上記とは異なり、ステップＳＴ１７において第１ノンインバータ圧縮機（2B）が故障機器として順次起動部（91）の対象外となった場合、ステップＳＴ１１へ戻ってブレーカ（81）が再びＯＮされ、ステップＳＴ１２でにおいて圧縮機（2A,2B,2C）の対象台数が２台（Ｎ＝３−１）と再認定される。つまり、このステップＳＴ１２では、第１ノンインバータ圧縮機（2B）に代えて第２ノンインバータ圧縮機（2C）が２番目（ｎ＝２）として再設定される。そして、ステップＳＴ１３で圧縮機（2A,2B,2C）の必要台数（Ｃ＝２台）が再確認される。続いて、ステップＳＴ１４において、順次起動部（91）が再び１番目（ｎ＝１）であるインバータ圧縮機（2A）の起動指示を出し、ステップＳＴ１５以降へ移行する。このインバータ圧縮機（2A）は正常に起動し続けるが、ステップＳＴ１９で圧縮機（2A,2B,2C）の起動台数が必要台数の２台に未達であると判定され、ステップＳＴ１４へ戻る。ステップＳＴ１４では、順次起動部（91）が２番目（ｎ＝２）である第２ノンインバータ圧縮機（2C）の起動指示を出し、ステップＳＴ１５以降へ移行する。そして、ステップＳＴ１８において、第２ノンインバータ圧縮機（2C）が正常であると判別されて運転し続けた場合、この時点で、インバータ圧縮機（2A）および第２ノンインバータ圧縮機（2C）の２台が起動していることになる。したがって、ステップＳＴ１９において、圧縮機（2A,2B,2C）の起動台数が必要台数の２台に達したと判定されて、圧縮機（2A,2B,2C）の起動制御が終了する。
【００９３】
この実施形態２では、圧縮機（2A,2B,2C）の起動制御およびファン（F1,F2）の起動制御の双方が終了すると、運転移行部（93）によって通常運転がそのまま継続される。
【００９４】
以上のように、本実施形態によれば、上記実施形態１と同様に、対象機器である各圧縮機（2A,2B,2C）や各室外ファン（F1,F2）を順次起動させ、この起動時に再び電気系統の異常によりブレーカ（81）が遮断すると、その遮断直前に電力供給した対象機器を起動させないようにしたため、対象機器（2A,2B,・・・）の中から電気系統に異常が生じた故障機器を確実に判別することができる。
【００９５】
また、本実施形態によれば、上記実施形態１のように常に圧縮機（2A,2B,2C）およびファン（F1,F2）の全台数について故障判定を行うのではなく、正常な機器が必要台数に達したと判定された時点で故障判定を止める。これにより、必要冷凍能力に応じた台数の冷凍機器だけを確実に起動させることができる。したがって、運転に不要な機器まで故障判定を行わなくてもすむので、通常運転の開始時間を短縮することができる。その他の構成、作用および効果は実施形態１と同様である。
【００９６】
《その他の実施形態》
本発明は、上記各実施形態について、以下のような構成としてもよい。
【００９７】
例えば、上記各実施形態では、順次起動部（91）の対象機器として、各圧縮機（2A,2B,2C）および各室外ファン（F1,F2）を設定したが、これらにブースタ圧縮機（53）や各四路切換弁（3A,3B,3C）などを加えるようにしてもよいし、各圧縮機（2A,2B,2C）または各室外ファン（F1,F2）のみを対象機器としてしてもよい。
【００９８】
また、上記室内ファン（43）や冷蔵ファン（47）などの利用側ファンを複数設けて、これら利用側ファンを順次起動部（91）の対象機器として設定するようにしてもよい。
【００９９】
また、上記各実施形態では、室外ユニット（1A）に３台の圧縮機（2A,2B,2C）を設けるようにしたが、何れか１台を省略してもよいことは勿論である。
【０１００】
また、上記各実施形態は、各ユニット（1B,1C,1D）を１台ずつ設けるようにしたが、本発明は、それぞれのユニット（1B,1C,1D）を複数台設けるようにしてもよいことは勿論である。
【０１０１】
なお、以上の実施形態は、本質的に好ましい例示であって、本発明、その適用物、あるいはその用途の範囲を制限することを意図するものではない。
【産業上の利用可能性】
【０１０２】
以上説明したように、本発明は、電動式の各種冷凍機器を備えた冷凍装置として有用である。
【図面の簡単な説明】
【０１０３】
【図１】実施形態に係る冷凍装置の配管系統図である。
【図２】実施形態に係る電源回路を示すブロック図である。
【図３】冷凍装置の冷房冷凍運転時の冷媒流れを示す配管系統図である。
【図４】冷凍装置の暖房冷凍運転時の冷媒流れを示す配管系統図である。
【図５】実施形態１に係る運転再開時の制御を示すフローチャート図である。
【図６】実施形態１に係る通電状態と故障フラグとの関係を示す特性図（その１）である。
【図７】実施形態１に係る通電状態と故障フラグとの関係を示す特性図（その２）である。
【図８】実施形態２に係る運転開始時の制御を示すフローチャート図である。
【符号の説明】
【０１０４】
1          冷凍装置
2A         インバータ圧縮機（冷凍機器）
2B         第１ノンインバータ圧縮機（冷凍機器）
2C         第２ノンインバータ圧縮機（冷凍機器）
F1         第１室外ファン（冷凍機器）
F2         第２室外ファン（冷凍機器）
91         順次起動部（順次起動手段）
92         異常処理部（異常処理手段）
93         運転移行部（移行手段）
【図１】
2006162242.tif 000003
【図２】
2006162242.tif 000004
【図３】
2006162242.tif 000005
【図４】
2006162242.tif 000006
【図５】
2006162242.tif 000007
【図６】
2006162242.tif 000008
【図７】
2006162242.tif 000009
【図８】
2006162242.tif 000010
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
電源に遮断器を介して互いに並列に接続された複数の冷凍機器（2A,2B,・・・）に上記電源から電力供給され、冷凍運転を行う冷凍装置であって、
上記各冷凍機器（2A,2B,・・・）毎の電気系統の異常によって遮断器が遮断した後の再起動時に、予め設定された対象の冷凍機器（2A,2B,・・・）を順次起動させる順次起動手段（91）と、
該順次起動手段（91）による順次起動時に冷凍機器（2A,2B,・・・）の電気系統の異常によって遮断器が遮断すると、異常直前に電力供給した冷凍機器（2A,2B,・・・）を上記順次起動手段（91）の対象外とする異常処理手段（92）とを備えている
ことを特徴とする冷凍装置。
【請求項２】
請求項１において、
上記順次起動手段（91）が対象とする冷凍機器（2A,2B,・・・）が全て正常に起動すると、上記異常処理手段（92）によって対象外とした冷凍機器（2A,2B,・・・）を停止させたまま通常運転に移行させる移行手段（93）を備えている
ことを特徴とする冷凍装置。
【請求項３】
請求項１において、
上記順次起動手段（91）が順次起動させる対象の冷凍機器は、複数の圧縮機（2A,2B,2C）である
ことを特徴とする冷凍装置
【請求項４】
請求項１において、
上記順次起動手段（91）が順次起動させる対象の冷凍機器は、複数の圧縮機（2A,2B,2C）と複数のファン（F1,F2）である
ことを特徴とする冷凍装置。
【手続補正２】
【補正対象書類名】明細書
【補正対象項目名】全文
【補正方法】変更
【補正の内容】
【発明の詳細な説明】
【技術分野】
【０００１】
本発明は、冷凍装置に関し、特に、冷凍機器における電気系統の異常により運転停止した際の再起動制御に係るものである。
【背景技術】
【０００２】
従来より、複数の圧縮機を用いて冷凍サイクルを行う冷媒回路を備えた冷凍装置が知られている（例えば、特許文献１参照）。この冷凍装置には、３台の圧縮機と凝縮器と蒸発器とが接続されてなる、室内を冷暖房する空調用、食品等の貯蔵庫内を冷却する冷蔵用および冷凍用のそれぞれの冷媒回路が形成されている。そして、上記冷凍装置では、主として、３台の圧縮機のうち１台が空調用に、残り２台が冷蔵および冷凍用に用いられ、冷媒が冷媒回路を循環して冷凍運転が行われる。
【特許文献１】特開２００３−７５０２２号公報
【発明の開示】
【発明が解決しようとする課題】
【０００３】
しかしながら、上述した特許文献１の冷凍装置においては、遮断器が遮断する異常対策が何ら講じられていなかった。例えば、３台の圧縮機のうち１台または２台の圧縮機の電気系統の異常によって冷凍運転が停止した場合、何らの措置も施されないため正常に冷凍運転を再開（再起動）させることができないという問題があった。つまり、運転中に、何れかの圧縮機の電気系統に漏電等の異常が生じることにより電力供給が遮断されて運転が停止した場合、３台の圧縮機のうち何れに電気系統の異常が生じたかが不明であるため、その各圧縮機を単に起動させるだけでは再び電気系統の異常により電力供給が遮断されることになる。したがって、電気系統の異常が生じた圧縮機を取り除かない限り、運転を再開させることができないという問題があった。
【０００４】
本発明は、斯かる点に鑑みてなされたものであり、その目的とするところは、冷凍機器における電気系統の異常により電力供給が遮断されて冷凍運転が停止した後、その電気系統の異常が生じた冷凍機器を判別して起動させないようにすることにより、少なくとも冷凍運転を再開（再起動）させることである。
【課題を解決するための手段】
【０００５】
具体的に、第１の発明は、電源に遮断器を介して互いに並列に接続された複数の冷凍機器（2A,2B,・・・）に上記電源から電力供給され、冷凍運転を行う冷凍装置を前提としている。そして、本発明の冷凍装置は、上記各冷凍機器（2A,2B,・・・）毎の電気系統の異常によって遮断器が遮断した後の再起動時に、予め設定された対象の冷凍機器（2A,2B,・・・）を順次起動させる順次起動手段（91）を備えている。さらに、本発明の冷凍装置は、上記順次起動手段（91）による順次起動時に冷凍機器（2A,2B,・・・）の電気系統の異常によって遮断器が遮断すると、異常直前に電力供給した冷凍機器（2A,2B,・・・）を上記順次起動手段（91）の対象外とする異常処理手段（92）を備えている。
【０００６】
上記の発明では、各冷凍機器の電気系統に異常が発生して冷凍運転が停止した場合、その電気系統に異常が発生した冷凍機器が判別される。
【０００７】
具体的に、例えば、複数の圧縮機などの冷凍機器において漏電や断線などの電気系統の異常が発生することにより、遮断器が遮断して冷凍運転が異常停止した場合について考える。先ず、上記順次起動手段（91）により、予め設定された対象の冷凍機器（例えば、複数の圧縮機）へ順次電力供給されて起動される。この場合、第１の圧縮機が電力供給されて正常に起動すれば、次の第２の圧縮機へ電力供給される。ここで、第２の圧縮機が正常に起動せずに再び遮断器が遮断すると、上記異常処理手段（92）によって第２の圧縮機が順次起動手段（91）の対象から除外される。つまり、上記第２の圧縮機が電気系統に異常が生じた冷凍機器（故障機器）として判別され、順次起動手段（91）は第２の圧縮機を除いた他の圧縮機を対象の冷凍機器として再び順次起動させる。したがって、この起動方法を繰り返すことにより、予め設定された対象の冷凍機器から電気系統に異常が生じた故障機器が全て判別される。この結果、判別された故障機器を取り外す等により、正常に冷凍運転が再開される。
【０００８】
また、第２の発明は、上記第１の発明において、上記順次起動手段（91）が対象とする冷凍機器（2A,2B,・・・）が全て正常に起動すると、上記異常処理手段（92）によって対象外とした冷凍機器（2A,2B,・・・）を停止させたまま通常運転に移行させる移行手段（93）を備えている。
【０００９】
上記の発明では、順次起動手段（91）が対象とする冷凍機器（2A,2B,・・・）が全て正常に起動すると、すなわち故障機器が全て判別されると、その故障機器へは電力供給せずに停止させたまま、正常な冷凍機器のみを起動させることによって通常運転が行われる。したがって、確実に冷凍運転が再開される。
【００１０】
また、第３の発明は、上記第１の発明において、上記順次起動手段（91）が順次起動させる対象の冷凍機器は、複数の圧縮機（2A,2B,2C）である。
【００１１】
上記の発明では、例えば、３台の圧縮機（2A,2B,2C）を用いて行う冷凍運転が異常停止した場合、異常処理手段（92）によって例えば２台の圧縮機（2B,2C）が故障機器として判別されると、この２台の故障機器を除いた１台の圧縮機（2A）のみを起動させて冷凍運転が再開される。つまり、少なくとも正常な圧縮機（2A）だけは確実に起動されるので、確実に運転が再開される。
【００１２】
また、第４の発明は、上記第１の発明において、上記順次起動手段（91）が順次起動させる対象の冷凍機器は、複数の圧縮機（2A,2B,2C）と複数のファン（F1,F2）である。
【００１３】
上記の発明では、例えば、３台の圧縮機（2A,2B,2C）と２台の室外ファン（F1,F2）とを用いて行う冷凍運転が異常停止した場合、異常処理手段（92）によって例えば２台の圧縮機（2B,2C）と１台の室外ファン（F2）とが故障機器として判別されると、これらの故障機器を除いた１台の圧縮機（2A）と１台の室外ファン（F1）を起動させて冷凍運転が再開される。つまり、少なくとも正常な圧縮機（2A）や室外ファン（F1）だけは確実に起動されるので、確実に運転が再開される。
【発明の効果】
【００１４】
したがって、第１の発明によれば、互いに並列に接続された複数の冷凍機器のそれぞれの電気系統の異常により遮断器（81）が遮断して運転が異常停止すると、予め対象の冷凍機器（2A,2B,・・・）を順次起動させ、この起動時に再び各冷凍機器の電気系統の異常により遮断器（81）が遮断すると、その遮断直前に電力供給した冷凍機器を起動させないようにしたため、対象とした冷凍機器（2A,2B,・・・）の中から電気系統に異常が生じた機器を故障機器として確実に判別することができる。したがって、故障機器として判別された冷凍機器へ電力供給しないようにすれば、つまり故障機器を除く正常な冷凍機器にのみへ電力供給すれば、確実に運転を再開（再起動）させることができる。
【００１５】
さらに、第２の発明によれば、順次起動させた対象の冷凍機器（2A,2B,・・・）が全て正常に起動すると、対象外とした冷凍機器を停止させたまま通常運転に移行させるようにしたので、再び電気系統の異常により遮断器（81）が遮断するのを回避し、確実に通常運転を再開（再起動）させることができる。すなわち、対象外の冷凍機器に対応する各種能力が発揮されなくなるが、少なくとも運転を再開（再起動）させることができる。
【００１６】
また、第３の発明によれば、複数の圧縮機（2A,2B,2C）を、第４の発明によれば、複数の圧縮機（2A,2B,2C）に加えて複数のファン（F1,F2）を順次起動手段（91）が順次起動させる対象の冷凍機器として設定するようにしたので、そのうちの幾つかが電気系統の異常により起動不能になっても、少なくとも正常な圧縮機（2A,2B,2C）やファン（F1,F2）を起動させることができるので、確実に運転を再開させることができる。
【発明を実施するための最良の形態】
【００１７】
以下、本発明の実施形態を図面に基づいて詳細に説明する。
【００１８】
《発明の実施形態１》
図１に示すように、本実施形態１に係る冷凍装置（1）は、コンビニエンスストアに設けられ、冷蔵ショーケースおよび冷凍ショーケースの冷却と店内の冷暖房とを行うためのものである。
【００１９】
上記冷凍装置（1）は、室外ユニット（1A）、室内ユニット（1B）、冷蔵ユニット（1C）および冷凍ユニット（1D）を有し、蒸気圧縮式冷凍サイクルを行う冷媒回路（1E）を備えている。この冷媒回路（1E）は、室内ユニット（1B）により構成される空調系統と、冷蔵ユニット（1C）および冷凍ユニット（1D）により構成される冷却系統とを備えている。そして、上記冷媒回路（1E）は、冷房サイクルと暖房サイクルとに切り換わるように構成されている。
【００２０】
上記室内ユニット（1B）は、例えば売場などに設置されて店内の冷暖房を行う。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。
【００２１】
〈室外ユニット〉
上記室外ユニット（1A）は、圧縮機構である３台の圧縮機（2A,2B,2C）と、流路切換手段である３つの四路切換弁（3A,3B,3C）と、熱源側熱交換器である室外熱交換器（4）とを備えている。
【００２２】
上記３台の圧縮機（2A,2B,2C）は、第１圧縮機としてのインバータ圧縮機（2A）と、第２圧縮機としての第１ノンインバータ圧縮機（2B）と、第３圧縮機としての第２ノンインバータ圧縮機（2C）であり、何れも、密閉型の高圧ドーム型スクロール圧縮機で構成されている。上記インバータ圧縮機（2A）は、電動機がインバータ制御されて容量が段階的又は連続的に可変となる可変容量圧縮機である。上記第１ノンインバータ圧縮機（2B）および第２ノンインバータ圧縮機（2C）は、電動機が常に一定回転数で駆動する定容量圧縮機である。
【００２３】
上記インバータ圧縮機（2A）、第１ノンインバータ圧縮機（2B）および第２ノンインバータ圧縮機（2C）の各吐出管（5a,5b,5c）は、１つの高圧ガス管（8）に接続され、該高圧ガス管（8）が第１四路切換弁（3A）の第１ポートに接続されている。上記第１ノンインバータ圧縮機（2B）の吐出管（5b）および第２ノンインバータ圧縮機（2C）の吐出管（5c）には、それぞれ逆止弁（7）が設けられている。なお、上記高圧ガス管（8）には、オイルセパレータ（30）が設けられている。
【００２４】
上記室外熱交換器（4）は、一端であるガス側端部が室外ガス管（9）によって第１四路切換弁（3A）の第３ポートに接続され、他端である液側端部が液ラインである室外液管（10）の一端に接続されている。上記室外液管（10）は、途中に液冷媒を貯留するレシーバ（14）が設けられ、他端が閉鎖弁（20）を介して室外ユニット（1A）の外部に配設された連絡液配管（11）に接続されている。なお、上記室外液管（10）には、レシーバ（14）の上流に該レシーバ（14）へ向かう冷媒の流れのみを許容する逆止弁（7）が設けられると共に、レシーバ（14）の下流に該レシーバ（14）から閉鎖弁（40）へ向かう冷媒の流れのみを許容する逆止弁（7）が設けられている。
【００２５】
上記室外熱交換器（4）は、例えば、クロスフィン式のフィン・アンド・チューブ型熱交換器により構成されている。そして、この室外熱交換器（4）には、熱源ファンである２つの室外ファン（F1,F2）が近接して配置されている。
【００２６】
上記第１四路切換弁（3A）の第４ポートは、室外ユニット（1A）の外部に配設された第１連絡ガス配管（17）が閉鎖弁（20）を介して接続され、第２ポートは、接続管（18）によって第２四路切換弁（3B）の第４ポートに接続されている。この第２四路切換弁（3B）の第１ポートは、補助ガス管（19）によって第２ノンインバータ圧縮機（2C）の吐出管（5c）に接続されている。また、上記第２四路切換弁（3B）の第２ポートには、第２ノンインバータ圧縮機（2C）の吸入管（6c）が接続されている。なお、上記第２四路切換弁（3B）の第３ポートは、閉塞された閉塞ポートとなっている。つまり、この第２四路切換弁（3B）は、３つのポートを備えた三路切換弁であってもよい。
【００２７】
上記第１四路切換弁（3A）は、高圧ガス管（8）と室外ガス管（9）とが連通し且つ接続管（18）と第１連絡ガス配管（17）とが連通する第１状態（図１に実線で示す状態）と、高圧ガス管（8）と第１連絡ガス配管（17）とが連通し且つ接続管（18）と室外ガス管（9）とが連通する第２状態（図１に破線で示す状態）とに切り換わるように構成されている。また、上記第２四路切換弁（3B）は、補助ガス管（19）と閉鎖ポートとが連通し且つ接続管（18）と第２ノンインバータ圧縮機（2C）の吸入管（6c）とが連通する第１状態（図１に実線で示す状態）と、補助ガス管（19）と接続管（18）とが連通し且つ吸入管（6c）と閉鎖ポートとが連通する第２状態（図１に破線で示す状態）とに切り換わるように構成されている。
【００２８】
上記インバータ圧縮機（2A）の吸入管（6a）は、閉鎖弁（20）を介して室外ユニット（1A）の外部に配設された第２連絡ガス配管（15）に接続されている。また、上記第１ノンインバータ圧縮機（2B）の吸入管（6b）は、第３四路切換弁（3C）に接続され、インバータ圧縮機（2A）の吸入管（6a）または第２ノンインバータ圧縮機（2C）の吸入管（6c）に連通するように構成されている。
【００２９】
具体的には、上記インバータ圧縮機（2A）の吸入管（6a）は、分岐管（6d）を介して第３四路切換弁（3C）の第１ポートに接続されている。上記第１ノンインバータ圧縮機（2B）の吸入管（6b）は、第３四路切換弁（3C）の第２ポート（P2）に接続されている。上記第２ノンインバータ圧縮機（2C）の吸入管（6c）は、分岐管（6e）を介して第３四路切換弁（3C）の第３ポート（P3）に接続されている。また、上記第３四路切換弁（3C）の第４ポートは、後述するレシーバ（14）からのガス抜き管（28）の分岐管（28a）が接続されている。そして、上記分岐管（6d,6e）は、逆止弁（7）が１つずつ設けられ、何れも第３四路切換弁（3C）へ向かう冷媒の流れのみを許容する。
【００３０】
上記第３四路切換弁（3C）は、インバータ圧縮機（2A）の吸入管（6a）と第１ノンインバータ圧縮機（2B）の吸入管（6b）とが連通し且つ第２ノンインバータ圧縮機（2C）の吸入管（6c）とガス抜き管（28）とが連通する第１状態（図１に実線で示す状態）と、インバータ圧縮機（2A）の吸入管（6a）とガス抜き管（28）とが連通し且つノンインバータ圧縮機（2B,2C）の吸入管（6b,6c）同士が連通する第２状態（図１に破線で示す状態）とに切り換わるように構成されている。
【００３１】
上記室外液管（10）には、レシーバ（14）とその上流側の逆止弁（7）とをバイパスする補助液管（25）が接続されている。この補助液管（25）に膨張機構である室外膨張弁（26）が設けられている。また、上記室外液管（10）には、逆止弁（7）を有する液分岐管（36）が接続されている。この液分岐管（36）は、一端がレシーバ（14）とその上流側の逆止弁（7）との間に接続され、他端がレシーバ（14）の下流側の逆止弁（7）と閉鎖弁（20）との間に接続されている。そして、上記液分岐管（36）の逆止弁（7）は、レシーバ（14）へ向かう冷媒流れのみを許容するものである。
【００３２】
上記補助液管（25）とインバータ圧縮機（2A）の吸入管（6a）との間には、膨張機構である電子膨張弁（29）を有するリキッドインジェクション管（27）が接続されている。また、上記レシーバ（14）の上部とインバータ圧縮機（2A）の吐出管（5a）との間には、逆止弁（7）を有するガス抜き管（28）が接続されている。このガス抜き管（28）の逆止弁（7）は、分岐管（28a）の接続点とレシーバ（14）との間に設けられ、レシーバ（14）から吐出管（5a）へ向かう冷媒流れのみを許容するものである。
【００３３】
なお、この室外ユニット（1A）において、３台の圧縮機（2A,2B,2C）、２台の室外ファン（F1,F2）、３つの四路切換弁（3A,3B,3C）や室外膨張弁（26）等は、冷凍機器を構成している。
【００３４】
〈室内ユニット〉
上記室内ユニット（1B）は、利用側熱交換器である室内熱交換器（41）と膨張機構である室内膨張弁（42）とを備えている。上記室内熱交換器（41）は、一端であるガス側端部が第１連絡ガス配管（17）に接続され、他端である液側端部が室内膨張弁（42）を介して連絡液配管（11）に接続されている。なお、上記室内熱交換器（41）は、例えば、クロスフィン式のフィン・アンド・チューブ型熱交換器であって、利用側ファンである室内ファン（43）が近接して配置されている。また、上記室内膨張弁（42）は、電動膨張弁により構成されている。また、この室内ユニット（1B）において、室内膨張弁（42）や室内ファン（43）は、冷凍機器を構成している。
【００３５】
〈冷蔵ユニット〉
上記冷蔵ユニット（1C）は、利用側熱交換器である冷蔵熱交換器（45）と、膨張機構である冷蔵膨張弁（46）とを備えている。上記冷蔵熱交換器（45）は、一端である液側端部が冷蔵膨張弁（46）および電磁弁（7a）を順に介して連絡液配管（11）より分岐した第１分岐液配管（12）に接続され、他端であるガス側端部が第２連絡ガス配管（15）に接続されている。上記電磁弁（7a）は、サーモオフ（休止）運転時に冷媒の流れを遮断するために用いられるものである。
【００３６】
上記冷蔵熱交換器（45）は、冷媒の蒸発圧力が室内熱交換器（41）における冷媒の蒸発圧力より低くなる。この結果、上記冷蔵熱交換器（45）の冷媒蒸発温度は例えば−１０℃に設定され、室内熱交換器（41）の冷媒蒸発温度は例えば＋５℃に設定され、冷媒回路（1E）が異温度蒸発の回路を構成している。
【００３７】
なお、上記冷蔵膨張弁（46）は、感温式膨張弁であって、感温筒が冷蔵熱交換器（45）のガス側に取り付けられている。したがって、この冷蔵膨張弁（46）は、冷蔵熱交換器（45）の出口側の冷媒温度に基づいて開度が調整される。上記冷蔵熱交換器（45）は、例えば、クロスフィン式のフィン・アンド・チューブ型熱交換器であって、利用側ファンである冷蔵ファン（47）が近接して配置されている。また、この冷蔵ユニット（1C）において、冷蔵膨張弁（46）や冷蔵ファン（47）は、冷凍機器を構成している。
【００３８】
〈冷凍ユニット〉
上記冷凍ユニット（1D）は、利用側熱交換器である冷凍熱交換器（51）と膨張機構である冷凍膨張弁（52）と冷凍圧縮機であるブースタ圧縮機（53）とを備えている。上記冷凍熱交換器（51）は、一端である液側端部が冷凍膨張弁（52）および電磁弁（7b）を順に介して第１分岐液配管（12）より分岐した第２分岐液配管（13）に接続され、他端であるガス側端部が接続ガス管（54）を介してブースタ圧縮機（53）の吸込側に接続されている。このブースタ圧縮機（53）の吐出側には、第２連絡ガス配管（15）より分岐した分岐ガス配管（16）が接続されている。この分岐ガス配管（16）には、ブースタ圧縮機（53）側から順にオイルセパレータ（55）および逆止弁（7）が設けられている。この逆止弁（7）は、ブースタ圧縮機（53）から第２連絡ガス配管（15）へ向かう冷媒流れのみを許容するものである。上記オイルセパレータ（55）と接続ガス管（54）との間には、キャピラリチューブ（56）を有する油戻し管（57）が接続されている。
【００３９】
上記ブースタ圧縮機（53）は、冷凍熱交換器（51）の冷媒蒸発温度が冷蔵熱交換器（45）の冷媒蒸発温度より低くなるように室外ユニット（1A）の圧縮機（2A,2B,2C）との間で冷媒を２段圧縮している。上記冷凍熱交換器（51）の冷媒蒸発温度は、例えば−３５℃に設定されている。
【００４０】
なお、上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、利用側ファンである冷凍ファン（58）が近接して配置されている。
【００４１】
また、上記接続ガス管（54）と分岐ガス配管（16）における逆止弁（7）の下流側との間には、逆止弁（7）を有するバイパス管（59）が接続されている。このバイパス管（59）は、ブースタ圧縮機（53）の故障等の停止時に冷媒がブースタ圧縮機（53）をバイパスして分岐ガス配管（16）へ向かって流れるように構成されている。上記冷凍ユニット（1D）において、冷凍膨張弁（52）、冷凍ファン（58）やブースタ圧縮機（53）は、冷凍機器を構成している。
【００４２】
〈制御系統〉
上記冷媒回路（1E）には、各種センサおよび各種スイッチが設けられている。上記室外ユニット（1A）の高圧ガス管（8）には、冷媒の高圧圧力を検出する圧力検出手段でる高圧圧力センサ（61）と、冷媒の吐出温度を検出する温度検出手段である吐出温度センサ（62）とが設けられている。上記第２ノンインバータ圧縮機（2C）の吐出管（5c）には、高冷媒の吐出温度を検出する温度検出手段である吐出温度センサ（63）が設けられている。また、上記インバータ圧縮機（2A）、第１ノンインバータ圧縮機（2B）および第２ノンインバータ圧縮機（2C）の各吐出管（5a，5b，5c）には、冷媒の高圧圧力が所定値になると開く圧力スイッチ（64）が設けられている。
【００４３】
上記インバータ圧縮機（2A）および第２ノンインバータ圧縮機（2C）の各吸入管（6a，6c）には、冷媒の低圧圧力を検出する圧力検出手段である低圧圧力センサ（65，66）と、冷媒の吸入温度を検出する温度検出手段である吸入温度センサ（67，68）とが設けられている。
【００４４】
上記室外熱交換器（4）には、冷媒の蒸発温度又は凝縮温度を検出する温度検出手段である室外熱交換センサ（69）が設けられている。また、上記室外ユニット（1A）には、外気温度を検出する温度検出手段である外気温センサ（70）が設けられている。
【００４５】
上記室内熱交換器（41）には、冷媒の凝縮温度又は蒸発温度を検出する温度検出手段である室内熱交換センサ（71）が設けられると共に、ガス側にガス冷媒温度を検出する温度検出手段であるガス温センサ（72）が設けられている。また、上記室内ユニット（1B）には、室内空気温度を検出する温度検出手段である室温センサ（73）が設けられている。
【００４６】
上記冷蔵ユニット（1C）には、冷蔵用のショーケース内の庫内温度を検出する温度検出手段である冷蔵温度センサ（74）が設けられている。上記冷凍ユニット（1D）には、冷凍用のショーケース内の庫内温度を検出する温度検出手段である冷凍温度センサ（75）が設けられている。また、ブースタ圧縮機（53）の吐出側には、冷媒の吐出圧力が所定値になると開く圧力スイッチ（64）が設けられている。
【００４７】
上記冷凍装置（1）は、コントローラ（90）を備えている。このコントローラ（90）は、室外膨張弁（26）や室内膨張弁（42）の開度制御を行うと共に、各四路切換弁（3A,3B,3C）の切り換えなどを行うように構成されている。
【００４８】
また、上記コントローラ（80）は、本発明の特徴として、冷凍機器の電源回路（80）を制御するように構成されている。図２に示すように、上記電源回路（80）は、各冷凍機器の電気系統に電力供給するものである。具体的に、電源がブレーカ（遮断器）（81）を介してインバータ圧縮機（2A）や第１室外ファン（F1）などの各冷凍機器の電気系統に接続されている。また、図示しないが、室外膨張弁（26）や各四路切換弁（3A,3B,3C）など他の冷凍機器の電気系統にも電源がブレーカ（遮断器）（81）を介して接続されている。そして、この各電気系統は、それぞれに対応する継電器（82〜86）の閉動作によって通電される。上記ブレーカ（81）は、運転中に各冷凍機器の電気系統に異常が生じると、遮断するように構成されている。
【００４９】
上記コントローラ（90）は、順次起動部（91）と異常処理部（92）と運転移行部（93）とを備え、電気系統の異常によって運転が停止した後の再起動の制御を行う。
【００５０】
上記順次起動部（91）は、電気系統の異常によってブレーカ（81）が遮断した後の再起動時に、各種冷凍機器のうち予め設定した対象の冷凍機器（2A,2B,・・・）を順次起動させる順次起動手段を構成している。つまり、この順次起動部（91）は、対象の冷凍機器（2A,2B,・・・）に対応するそれぞれの継電器（82〜86）を順次閉じて電力供給する。そして、本実施形態では、各種冷凍機器のうち、インバータ圧縮機（2A）、第１ノンインバータ圧縮機（2B）、第２ノンインバータ圧縮機（2C）、第１室外ファン（F1）および第２室外ファン（F2）の５つが対象の冷凍機器（以下、対象機器という。）として設定されている。
【００５１】
上記異常処理部（92）は、順次起動部（91）による順次起動時に電気系統の異常によってブレーカ（81）が遮断すると、異常直前に電力供給した対象機器を順次起動部（91）の対象外とする異常処理手段を構成している。つまり、上記異常処理部（92）は、順次起動時にブレーカ（81）が遮断すると、その遮断する直前に起動させようとした対象機器を故障機器として判別し、順次起動部（91）がその故障機器として判別された対象機器を除いた他の対象機器を再び順次起動させる。
【００５２】
上記運転移行部（93）は、順次起動部（91）の対象機器（2A,2B,・・・）が全て正常に起動すると、異常処理部（92）によって対象外とした対象機器、すなわち故障機器として判別された対象機器を停止させたまま通常運転に移行させる移行手段を構成している。つまり、上記運転移行部（93）は、故障機器として判別された対象機器を除く正常な対象機器（2A,2B,・・・）を起動させることにより運転を再開させる。
【００５３】
−運転動作−
次に、上記冷凍装置（1）の運転動作について説明する。本実施形態では、室内ユニット（1B）の冷房と冷蔵ユニット（1C）および冷凍ユニット（1D）の冷却とを同時に行う「冷房冷凍運転」と、室内ユニット（1B）の暖房と冷蔵ユニット（1C）および冷凍ユニット（1D）の冷却とを同時に行う「暖房冷凍運転」とに切換可能に構成されている。
【００５４】
〈冷房冷凍運転〉
この冷房冷凍運転は、図３に示すように、インバータ圧縮機（2A）、第１ノンインバータ圧縮機（2B）および第２ノンインバータ圧縮機（2C）を駆動すると共に、ブースタ圧縮機（53）を駆動する。
【００５５】
また、上記第１四路切換弁（3A）、第２四路切換弁（3B）および第３四路切換弁（3C）は、それぞれ第１状態に切り換わる。さらに、上記冷蔵ユニット（1C）および冷凍ユニット（1D）の各電磁弁（7a,7b）が開状態に設定される一方、室外膨張弁（26）は閉状態に設定される。また、上記リキッドインジェクション管（27）の電子膨張弁（29）は、インバータ圧縮機（2A）および第１ノンインバータ圧縮機（2B）の吸入側に所定流量の液冷媒を供給するように開度調節される。
【００５６】
この状態において、インバータ圧縮機（2A）と第１ノンインバータ圧縮機（2B）と第２ノンインバータ圧縮機（2C）から吐出した冷媒は、高圧ガス管（8）で合流し、第１四路切換弁（3A）から室外ガス管（9）を経て室外熱交換器（4）で凝縮する。この凝縮した液冷媒は、室外液管（10）を流れ、レシーバ（14）を経て連絡液配管（11）に流れる。
【００５７】
上記連絡液配管（11）の液冷媒は、一部が第１分岐液配管（12）に分流し、残りが室内ユニット（1B）に流れる。この室内ユニット（1B）では、液冷媒が室内膨張弁（42）を経て室内熱交換器（41）で蒸発し、店内が冷房される。この蒸発したガス冷媒は、第１連絡ガス配管（17）を通って室外ユニット（1A）に流れ、第１四路切換弁（3A）および第２四路切換弁（3B）を経て吸入管（6c）より第２ノンインバータ圧縮機（2C）に戻る。
【００５８】
一方、上記第１分岐液配管（12）に流れた液冷媒は、一部が第２分岐液配管（13）に分流して冷凍ユニット（1D）に流れ、残りが冷蔵ユニット（1C）に流れる。この冷蔵ユニット（1C）では、液冷媒が冷蔵膨張弁（46）を経て冷蔵熱交換器（45）で蒸発し、冷蔵用ショーケースの庫内が冷却される。その後、蒸発したガス冷媒は、第２連絡ガス配管（15）に流れる。上記冷凍ユニット（1D）では、液冷媒が冷凍膨張弁（52）を経て冷凍熱交換器（51）で蒸発し、冷凍用ショーケースの庫内が冷却される。この蒸発したガス冷媒は、ブースタ圧縮機（53）で圧縮された後、分岐ガス配管（16）を通って第２連絡ガス配管（15）で冷蔵ユニット（1C）からのガス冷媒と合流する。上記第２連絡ガス配管（15）で合流したガス冷媒は、室外ユニット（1A）に流れて吸入管（6a,6b）よりインバータ圧縮機（2A）と第１ノンインバータ圧縮機（2B）に戻る。
【００５９】
〈暖房冷凍運転〉
この暖房冷凍運転は、図４に示すように、インバータ圧縮機（2A）、第１ノンインバータ圧縮機（2B）および第２ノンインバータ圧縮機（2C）を駆動すると共に、ブースタ圧縮機（53）を駆動する。
【００６０】
また、上記第１四路切換弁（3A）は第２状態に切り換わり、第２四路切換弁（3B）および第３四路切換弁（3C）は第１状態に切り換わる。さらに、上記冷蔵ユニット（1C）および冷凍ユニット（1D）の各電磁弁（7a,7b）が開状態に設定される一方、室内膨張弁（42）が全開状態に設定されている。なお、上記リキッドインジェクション管（27）の電子膨張弁（29）は所定開度に制御され、冷媒流量を調整している。
【００６１】
この状態において、インバータ圧縮機（2A）と第１ノンインバータ圧縮機（2B）と第２ノンインバータ圧縮機（2C）から吐出した冷媒は、第１四路切換弁（3A）から第１連絡ガス配管（17）を通って室内ユニット（1B）に流れる。この室内ユニット（1B）では、液冷媒が室内熱交換器（41）で凝縮し、店内が暖房される。この凝縮した液冷媒は、連絡液配管（11）に流れ、一部が第１分岐液配管（12）に分流し、残りが室外ユニット（1A）に流れる。この室内ユニット（1B）に流れた液冷媒は、液分岐管（36）を流れてレシーバ（14）に流入した後、室外膨張弁（26）を経て室外熱交換器（4）で蒸発する。この蒸発したガス冷媒は、室外ガス管（9）を流れ、第１四路切換弁（3A）および第２四路切換弁（3B）を経て吸入管（6c）より第２ノンインバータ圧縮機（2C）に戻る。
【００６２】
一方、上記第１分岐液配管（12）に流れた液冷媒は、一部が第２分岐液配管（13）より冷凍ユニット（1D）に流れ、残りが冷蔵ユニット（1C）に流れる。上記冷蔵ユニット（1C）では、液冷媒が冷蔵熱交換器（45）で蒸発し、冷蔵用ショーケースの庫内が冷却される。上記冷凍ユニット（1D）では、液冷媒が冷凍熱交換器（51）で蒸発して冷凍用ショーケースの庫内が冷却され、蒸発したガス冷媒がブースタ圧縮機（53）で圧縮される。そして、上記冷蔵ユニット（1C）および冷凍ユニット（1D）で蒸発したガス冷媒は、第２連絡ガス配管（15）で合流して室外ユニット（1A）に流れ、インバータ圧縮機（2A）および第１ノンインバータ圧縮機（2B）に戻る。
【００６３】
〈運転再開時の制御〉
次に、上述した運転中に、対象機器（2A,2B,・・・）の電気系統に漏電や短絡などの異常が発生することによりブレーカ（81）が遮断し、運転が異常停止した場合の運転再開時の制御について説明する。上記ブレーカ（81）が遮断して運転停止になると、図５に示すように、コントローラ（90）の制御がスタートする。なお、上記ブレーカ（81）が遮断すると、対象機器（2A,2B,・・・）に対応する全ての継電器（82〜86）が開く。
【００６４】
先ず、ステップＳＴ１において、作業者等によって電源回路（80）のブレーカ（81）がＯＮされて通電状態になると、ステップＳＴ２へ移行する。このステップＳＴ２では、コントローラ（90）の順次起動部（91）によって対象機器（2A,2B,・・・）の台数が認定される。つまり、上記インバータ圧縮機（2A）、第１ノンインバータ圧縮機（2B）、第２ノンインバータ圧縮機（2C）、第１室外ファン（F1）および第２室外ファン（F2）の５台が対象機器の台数（Ｎ＝５）として認定される。
【００６５】
上記ステップＳＴ３では、順次起動部（91）がインバータ圧縮機（2A）の起動指示を出す。つまり、本実施形態では、順次起動部（91）がインバータ圧縮機（2A）を１番目（ｎ＝１）として、第１ノンインバータ圧縮機（2B）を２番目（ｎ＝２）として、第２ノンインバータ圧縮機（2C）を３番目（ｎ＝３）として、第１室外ファン（F1）を４番目（ｎ＝４）として、第２室外ファン（F2）を５番目（ｎ＝５）として、その順番に起動指示を出すように予め設定されている。そして、このステップＳＴ３では、インバータ圧縮機（2A）の起動指示が出ると、所定時間Ｔ１（例えば、０．３秒）の間に「故障フラグ」がＯＮする。
【００６６】
次に、上記ステップＳＴ４では、ステップＳＴ３においてインバータ圧縮機（2A）の起動指示が出てから所定時間Ｔ２（例えば、１．０秒）が経過すると、順次起動部（91）によって電源回路（80）の第１継電器（82）を閉じてインバータ圧縮機（2A）への通電が開始され、ステップＳＴ５へ移行する。
【００６７】
上記ステップＳＴ５では、インバータ圧縮機（2A）が正常に起動したか否かが判定される。具体的には、図６に示すように、インバータ圧縮機（2A）が通電開始から所定時間Ｔ３（例えば、１０．０秒）の間連続して駆動すると、正常に起動したと判定されてステップＳＴ７へ移行する。なお、この場合、通電開始から所定時間Ｔ３が経過すると、順次起動部（91）により第１継電器（82）が開いて通電が停止される。一方、例えば、図７に示すように、インバータ圧縮機（2A）が通電開始後一旦起動するが電気系統の異常によりブレーカ（81）が再び遮断して所定時間Ｔ３が経過するまでに停止すると、正常に起動していないと判定され、ステップＳＴ６へ移行する。なお、このステップＳＴ５では、上記図７に示した場合だけでなく、通電開始から所定時間Ｔ３の間に亘って停止した場合、または所定時間Ｔ３の途中に一旦起動して停止した場合も正常に起動していないと判定される。すなわち、上記ステップＳＴ５では、通電開始から所定時間Ｔ３の間に一時でも停止すれば、正常に起動していないと判定される。
【００６８】
上記ステップＳＴ６では、異常処理部（92）がインバータ圧縮機（2A）を順次起動部（91）の対象外とし、その「故障フラグ」がＯＮのまま残る。すなわち、このステップＳＴ６において、インバータ圧縮機（2A）が故障機器として判別される。このインバータ圧縮機（2A）が故障機器として判別されると、ステップＳＴ１へ戻り、ブレーカ（81）が再びＯＮされる。そして、ステップＳＴ２において、対象機器の台数が４台（Ｎ＝５−１）と再認定される。つまり、このステップＳＴ２では、インバータ圧縮機（2A）に代えて第１ノンインバータ圧縮機（2B）が１番目（ｎ＝１）として再設定され、ステップＳＴ３へ移行する。
【００６９】
上記ステップＳＴ３では、順次起動部（91）が再び対象機器へ順次起動指示を出す。具体的に、上記順次起動部（91）は、対象外となったインバータ圧縮機（2A）を省いて、１番目（ｎ＝１）である第１ノンインバータ圧縮機（2B）の起動指示を出す。その後は、上述と同様にステップＳＴ４以降へ順次移行する。
【００７０】
一方、上記ステップＳＴ５からステップＳＴ７へ移行すると、インバータ圧縮機（2A）が正常な機器として判別され、その「故障フラグ」がＯＦＦし、ステップＳＴ８へ移行する。このステップＳＴ８では、インバータ圧縮機（2A）が最終番の対象機器（2A,2B,・・・）であるか否かが、つまり、この場合、５番目（ｎ＝Ｎ）であるか否かが判定される。そして、最終番でないと判定されると、ステップＳＴ３へ戻り、最終番であると判定されると、ステップＳＴ９へ移行する。
【００７１】
上記ステップＳＴ３では、順次起動部（91）が２番目（ｎ＝２）である第１ノンインバータ圧縮機（2B）の起動指示を出し、第１ノンインバータ圧縮機（2B）の「故障フラグ」がＯＮする。その後は、上述と同様にステップＳＴ４以降へ順次移行する。
【００７２】
このように、本発明の制御では、対象機器（2A,2B,・・・）を順次起動させて故障機器であるか否かを順に判別し、一旦故障機器を判別すると、その故障機器を除いた他の対象機器（2A,2B,・・・）を再び順次起動させる。ここで、例えば、インバータ圧縮機（2A）が正常な機器として、次に第１ノンインバータ圧縮機（2B）が故障機器として、次に第２ノンインバータ圧縮機（2C）が正常な機器として、次に第１室外ファン（F1）が故障機器として順次判別された場合を考える。
【００７３】
この場合、ステップＳＴ６において、第１室外ファン（F1）が順次起動部（91）の対象外とされて「故障フラグ」がＯＮのまま残り、ステップＳＴ１へ戻ってブレーカ（81）が再びＯＮされる。次に、ステップＳＴ２において、対象機器の台数がＮ＝４−１＝３台（インバータ圧縮機（2A）、第２ノンインバータ圧縮機（2C）および第２室外ファン（F2））と再認定される。そして、ステップＳＴ３において、順次起動部（91）が再認定した３台の対象機器に対して起動指示を順次出す。
【００７４】
つまり、先ず、上記順次起動部（91）が１番目（ｎ＝１）であるインバータ圧縮機（2A）の起動指示を出すと、ステップＳＴ４以降へ順次移行し、ステップＳＴ８において、インバータ圧縮機（2A）は最終番（ｎ＝１≠Ｎ）でないと判定され、ステップＳＴ３へ戻る。このステップＳＴ３では、順次起動部（91）が対象外の第１ノンインバータ圧縮機（2B）を省いて、２番目（ｎ＝２）である第２ノンインバータ圧縮機（2C）の起動指示を出す。その後、ステップＳＴ４以降へ順次移行し、ステップＳＴ８において、第２ノンインバータ圧縮機（2C）は最終番（ｎ＝２≠Ｎ）でないと判定され、ステップＳＴ３へ戻る。次に、このステップＳＴ３では、順次起動部（91）が対象外の第１室外ファン（F1）を省いて、３番目（ｎ＝３）である第２室外ファン（F2）の起動指示を出す。その後、ステップＳＴ５およびステップＳＴ７へと移行して第２室外ファン（F2）が正常な機器として判別されると、ステップＳＴ８へ移行する。そして、このステップＳＴ８において、第２室外ファン（F2）は最終番（ｎ＝Ｎ＝３）であると判定されると、運転移行部（93）によってステップＳＴ９へ移行する。
【００７５】
なお、上記第２室外ファン（F2）がステップＳＴ５およびステップＳＴ６へと移行して故障機器と判別された場合は、ステップＳＴ１へ戻り、インバータ圧縮機（2A）および第２ノンインバータ圧縮機（2C）の２台が順次起動部（91）の対象として順次起動され、最終的にステップＳＴ９へ移行することになる。
【００７６】
上記第２室外ファン（F2）が最終番であると判定されてステップＳＴ９へ移行すると、運転移行部（93）によって通常運転が再開される。具体的に、ブレーカ（81）が再びＯＮされると、「故障フラグ」がＯＮのまま残った第１ノンインバータ圧縮機（2B）および第１室外ファン（F1）を除く、インバータ圧縮機（2A）、第２ノンインバータ圧縮機（2C）および第２室外ファン（F2）が運転移行部（93）によって順次起動されて、通常運転が再開される。
【００７７】
例えば、上記冷房冷凍運転が再開された場合、第１ノンインバータ圧縮機（2B）が停止しているので、冷蔵ユニット（1C）および冷凍ユニット（1D）の冷却能力が低下し、さらに第１室外ファン（F1）が停止しているので、室外熱交換器（4）における熱交換量が低下することになるが、少なくとも確実に運転を再開（再起動）させることができる。
【００７８】
−実施形態の効果−
以上説明したように、本実施形態によれば、冷凍機器における電気系統の異常によりブレーカ（81）が遮断して運転が異常停止すると、予め対象機器として設定した各圧縮機（2A,2B,2C）および各室外ファン（F1,F2）に順次起動させ、この起動時に再び電気系統の異常によりブレーカ（81）が遮断すると、その遮断直前に電力供給した対象機器を起動させないようにしたため、対象機器（2A,2B,・・・）の中から電気系統に異常が生じた故障機器を確実に判別することができる。
【００７９】
さらに、順次起動させた対象機器（2A,2B,・・・）が全て正常に起動すると、故障機器として判別された機器を停止させたまま通常運転に移行させるようにしたので、再び電気系統の異常によりブレーカ（81）が遮断して通常運転が異常停止するのを回避することができる。したがって、故障機器に対応する各種能力が発揮されなくなるが、少なくとも買う実に運転を再開（再起動）させることができる。
【００８０】
また、故障機器として判別されると、その故障機器に対応する「故障フラグ」をＯＮさせたまま維持するようにしたので、その故障機器を対象機器（2A,2B,・・・）から確実に除外するすることができる。したがって、通常運転への移行を確実に行うことができる。
【００８１】
また、上記対象機器（2A,2B,・・・）として、３台の圧縮機（2A,2B,2C）と２台の室外ファン（F1,F2）を設定するようにしたので、そのうちの幾つかが電気系統の異常により起動不能になっても、少なくとも正常な圧縮機（2A,2B,2C）や室外ファン（F1,F2）を起動させることができるので、確実に運転を再開させることができる。
【００８２】
《発明の実施形態２》
本実施形態２に係る冷凍装置（1）は、通常運転の開始時に常に対象機器（2A,2B,・・・）の故障を判別しながら起動させるようにしたものである。つまり、上記実施形態１では、漏電等の電気系統の異常によって運転が停止した際の再起動時に対象機器（2A,2B,・・・）の故障を判別し、その故障機器を除いて通常運転を再開させるようにした。これに対し、本実施形態は、通常運転の開始時に、対象機器（2A,2B,・・・）の故障を判別するが、正常であると判別された対象機器（2A,2B,・・・）が必要台数に達した時点で故障判別を終了し、そのまま通常運転へ移行する起動制御を行うようにしたものである。
【００８３】
具体的には、通常運転の開始時に、圧縮機（2A,2B,2C）の起動制御とファン（F1,F2）の起動制御とがほぼ同じタイミングで個別に行われる。なお、圧縮機（2A,2B,2C）とファン（F1,F2）の起動制御が同様であるため、主として圧縮機（2A,2B,2C）の起動制御について説明する。
【００８４】
図８に示すように、先ず、ステップＳＴ１１において、作業者等が電源回路（80）のブレーカ（81）をＯＮすると通電状態になり、ステップＳＴ１２へ移行する。このステップＳＴ１２では、コントローラ（90）の順次起動部（91）によって対象機器である圧縮機（2A,2B,2C）の台数がＮ＝３台と認定される。なお、ファン（F1,F2）の起動制御の場合、対象機器であるファン（F1,F2）の台数がＮ＝２台と認定される。
【００８５】
続いて、ステップＳＴ１３では、この通常運転における圧縮機（2A,2B,2C）の必要台数Ｃ台が認定され、ステップＳＴ１４へ移行する。この必要台数は、運転条件に応じて定められるもので、本実施形態ではＣ＝２台と仮定する。なお、ファン（F1,F2）の起動制御の場合、ステップＳＴ１３においてファン（F1,F2）の必要台数Ｆ台（例えば、Ｆ＝１台）が認定される。
【００８６】
次に、ステップＳＴ１４からステップＳＴ１６へは、上記実施形態１におけるステップＳＴ３からステップＳＴ５と同様の処理がされて移行する。すなわち、ステップＳＴ１４では、順次起動部（91）によって１番目（ｎ＝１）であるインバータ圧縮機（2A）へ起動指示が出され、「故障フラグ」がＯＮする。なお、本実施形態においても、インバータ圧縮機（2A）、第１ノンインバータ圧縮機（2B）および第２ノンインバータ圧縮機（2C）の順に起動指示が出るように予め設定されている。ステップＳＴ１５では、順次起動部（91）によって電源回路（80）の第１継電器（82）が閉じられてインバータ圧縮機（2A）への通電が開始される。そして、ステップＳＴ１６において、ブレーカ（81）が遮断してインバータ圧縮機（2A）が正常に起動していないと判定されると、ステップＳＴ１７へ移行し、インバータ圧縮機（2A）が正常に起動したと判定されると、ステップＳＴ１８へ移行する。
【００８７】
上記ステップＳＴ１７では、上記実施形態１と同様に、異常処理部（92）がインバータ圧縮機（2A）を故障機器として判別して順次起動部（91）の対象外とし、その「故障フラグ」がＯＮのまま残る。このインバータ圧縮機（2A）が故障機器として判別されると、ステップＳＴ１１へ戻り、ブレーカ（81）が再びＯＮされる。そして、ステップＳＴ１２において、圧縮機（2A,2B,2C）の対象台数が２台（Ｎ＝３−１）と再認定される。つまり、このステップＳＴ１２では、インバータ圧縮機（2A）に代えて第１ノンインバータ圧縮機（2B）が１番目（ｎ＝１）として再設定され、ステップＳＴ１３へ移行する。このステップＳＴ１３では、圧縮機（2A,2B,2C）の必要台数（Ｃ＝２台）が変更されていないことを確認してステップＳＴ１４へ移行する。
【００８８】
このステップＳＴ１４では、順次起動部（91）が再び対象となる圧縮機（2A,2B,2C）へ順次起動指示を出す。具体的に、上記順次起動部（91）は、対象外となったインバータ圧縮機（2A）を省いて、１番目（ｎ＝１）である第１ノンインバータ圧縮機（2B）の起動指示を出す。その後は、上述と同様にステップＳＴ１５以降へ順次移行する。
【００８９】
一方、上記ステップＳＴ１６からステップＳＴ１８へ移行すると、インバータ圧縮機（2A）が正常な機器として判別されて、そのままインバータ圧縮機（2A）の運転が継続され、ステップＳＴ１９へ移行する。その際、インバータ圧縮機（2A）の「故障フラグ」がＯＦＦする。つまり、本実施形態では、上記実施形態１とは異なり、正常であると判別された対象機器について通電を停止せずに継続して運転させる。
【００９０】
上記ステップＳＴ１９では、現時点において起動している圧縮機（2A,2B,2C）の台数がステップＳＴ１３で認定された必要台数（Ｃ＝２台）に達したか否かが判定される。そして、圧縮機（2A,2B,2C）の起動台数が必要台数に未達であると判定されると、ステップＳＴ１４へ戻り、圧縮機（2A,2B,2C）の起動台数が必要台数に達したと判定されると、圧縮機（2A,2B,2C）の起動制御が終了する。上記の場合、インバータ圧縮機（2A）の１台のみが起動しているので、圧縮機（2A,2B,2C）の起動台数が必要台数の２台に未達であると判定され、ステップＳＴ１４へ戻ることになる。なお、ファン（F1,F2）の起動制御の場合、ステップＳＴ１９では、現時点において起動しているファン（F1,F2）の台数がステップＳＴ１３で認定された必要台数（例えば、Ｆ＝１台）に達したか否かが判定される。そして、起動台数が必要台数に達すれば、ファン（F1,F2）の起動制御が終了する。
【００９１】
続いて、上記ステップＳＴ１４では、順次起動部（91）が２番目（ｎ＝２）である第１ノンインバータ圧縮機（2B）の起動指示を出し、その後、上述と同様にステップＳＴ１５以降へ順次移行する。そして、ステップＳＴ１８において、第１ノンインバータ圧縮機（2B）が正常であると判別されて運転し続けた場合、この時点で、インバータ圧縮機（2A）および第１ノンインバータ圧縮機（2B）の２台が起動していることになる。したがって、ステップＳＴ１９において、圧縮機（2A,2B,2C）の起動台数が必要台数の２台に達したと判定されて、圧縮機（2A,2B,2C）の起動制御が終了する。
【００９２】
また、上記とは異なり、ステップＳＴ１７において第１ノンインバータ圧縮機（2B）が故障機器として順次起動部（91）の対象外となった場合、ステップＳＴ１１へ戻ってブレーカ（81）が再びＯＮされ、ステップＳＴ１２でにおいて圧縮機（2A,2B,2C）の対象台数が２台（Ｎ＝３−１）と再認定される。つまり、このステップＳＴ１２では、第１ノンインバータ圧縮機（2B）に代えて第２ノンインバータ圧縮機（2C）が２番目（ｎ＝２）として再設定される。そして、ステップＳＴ１３で圧縮機（2A,2B,2C）の必要台数（Ｃ＝２台）が再確認される。続いて、ステップＳＴ１４において、順次起動部（91）が再び１番目（ｎ＝１）であるインバータ圧縮機（2A）の起動指示を出し、ステップＳＴ１５以降へ移行する。このインバータ圧縮機（2A）は正常に起動し続けるが、ステップＳＴ１９で圧縮機（2A,2B,2C）の起動台数が必要台数の２台に未達であると判定され、ステップＳＴ１４へ戻る。ステップＳＴ１４では、順次起動部（91）が２番目（ｎ＝２）である第２ノンインバータ圧縮機（2C）の起動指示を出し、ステップＳＴ１５以降へ移行する。そして、ステップＳＴ１８において、第２ノンインバータ圧縮機（2C）が正常であると判別されて運転し続けた場合、この時点で、インバータ圧縮機（2A）および第２ノンインバータ圧縮機（2C）の２台が起動していることになる。したがって、ステップＳＴ１９において、圧縮機（2A,2B,2C）の起動台数が必要台数の２台に達したと判定されて、圧縮機（2A,2B,2C）の起動制御が終了する。
【００９３】
この実施形態２では、圧縮機（2A,2B,2C）の起動制御およびファン（F1,F2）の起動制御の双方が終了すると、運転移行部（93）によって通常運転がそのまま継続される。
【００９４】
以上のように、本実施形態によれば、上記実施形態１と同様に、対象機器である各圧縮機（2A,2B,2C）や各室外ファン（F1,F2）を順次起動させ、この起動時に再び電気系統の異常によりブレーカ（81）が遮断すると、その遮断直前に電力供給した対象機器を起動させないようにしたため、対象機器（2A,2B,・・・）の中から電気系統に異常が生じた故障機器を確実に判別することができる。
【００９５】
また、本実施形態によれば、上記実施形態１のように常に圧縮機（2A,2B,2C）およびファン（F1,F2）の全台数について故障判定を行うのではなく、正常な機器が必要台数に達したと判定された時点で故障判定を止める。これにより、必要冷凍能力に応じた台数の冷凍機器だけを確実に起動させることができる。したがって、運転に不要な機器まで故障判定を行わなくてもすむので、通常運転の開始時間を短縮することができる。その他の構成、作用および効果は実施形態１と同様である。
【００９６】
《その他の実施形態》
本発明は、上記各実施形態について、以下のような構成としてもよい。
【００９７】
例えば、上記各実施形態では、順次起動部（91）の対象機器として、各圧縮機（2A,2B,2C）および各室外ファン（F1,F2）を設定したが、これらにブースタ圧縮機（53）や各四路切換弁（3A,3B,3C）などを加えるようにしてもよいし、各圧縮機（2A,2B,2C）または各室外ファン（F1,F2）のみを対象機器としてしてもよい。
【００９８】
また、上記室内ファン（43）や冷蔵ファン（47）などの利用側ファンを複数設けて、これら利用側ファンを順次起動部（91）の対象機器として設定するようにしてもよい。
【００９９】
また、上記各実施形態では、室外ユニット（1A）に３台の圧縮機（2A,2B,2C）を設けるようにしたが、何れか１台を省略してもよいことは勿論である。
【０１００】
また、上記各実施形態は、各ユニット（1B,1C,1D）を１台ずつ設けるようにしたが、本発明は、それぞれのユニット（1B,1C,1D）を複数台設けるようにしてもよいことは勿論である。
【０１０１】
なお、以上の実施形態は、本質的に好ましい例示であって、本発明、その適用物、あるいはその用途の範囲を制限することを意図するものではない。
【産業上の利用可能性】
【０１０２】
以上説明したように、本発明は、電動式の各種冷凍機器を備えた冷凍装置として有用である。
【図面の簡単な説明】
【０１０３】
【図１】実施形態に係る冷凍装置の配管系統図である。
【図２】実施形態に係る電源回路を示すブロック図である。
【図３】冷凍装置の冷房冷凍運転時の冷媒流れを示す配管系統図である。
【図４】冷凍装置の暖房冷凍運転時の冷媒流れを示す配管系統図である。
【図５】実施形態１に係る運転再開時の制御を示すフローチャート図である。
【図６】実施形態１に係る通電状態と故障フラグとの関係を示す特性図（その１）である。
【図７】実施形態１に係る通電状態と故障フラグとの関係を示す特性図（その２）である。
【図８】実施形態２に係る運転開始時の制御を示すフローチャート図である。
【符号の説明】
【０１０４】
1          冷凍装置
2A         インバータ圧縮機（冷凍機器）
2B         第１ノンインバータ圧縮機（冷凍機器）
2C         第２ノンインバータ圧縮機（冷凍機器）
F1         第１室外ファン（冷凍機器）
F2         第２室外ファン（冷凍機器）
91         順次起動部（順次起動手段）
92         異常処理部（異常処理手段）
93         運転移行部（移行手段）